(57)【特許請求の範囲】
【請求項１】
液晶表示パネルを駆動するための１つ前のフレームの映像信号と現在フレームの映像信号との差分を演算してノイズレベルを検出するノイズ検出手段と、
前記ノイズ検出手段により得られるノイズレベルに基づいて映像信号の輝度階調を補正し、又は、予め準備された映像信号に係る輝度階調データに基づいて当該映像信号の輝度階調を補正する補正手段と、
前記ノイズ検出手段により検出されたノイズレベルと予め設定された基準値とを比較し、比較結果に基づいて前記補正手段の出力を制御する制御装置とを備え、
前記制御装置は、
前記ノイズレベルが基準値を越える場合は、補正前の前記映像信号を選択し、
前記ノイズレベルが基準値に満たない場合は、輝度階調補正後の映像信号のいずれかを選択するように前記補正手段の出力を制御する表示制御装置。
【請求項２】
前記映像信号の輝度階調を所定の補正量に対応して補正する場合であって、
前記制御装置は、
前記ノイズ検出手段により検出されたノイズレベルに基づいて前記補正量を可変設定する請求項１に記載の表示制御装置。
【請求項３】
前記補正手段は、
前記液晶表示パネルに１フレーム毎に入力される映像信号の輝度階調を補正する場合であって、
少なくとも、現在フレームの１つ前のフレームの映像信号を記憶する第１の記憶手段と、
前記第１の記憶手段に記憶された１つ前のフレームの映像信号の輝度階調と現在フレームの映像信号の輝度階調との差分を演算し、該差分に対応した補正値を現在フレームの映像信号の輝度階調に演算して出力する補正回路とを備える請求項１に記載の表示制御装置。
【請求項４】
前記差分に対応した補正値を記憶する第２の記憶手段を備える請求項３に記載の表示制御装置。
【請求項５】
前記補正回路は、
前記第１の記憶手段に記憶された１つ前のフレームの映像信号の輝度階調と現在フレームの映像信号の輝度階調との差分がほぼ零の場合は、現在フレームの映像信号をそのまま出力し、
前記映像信号の特定の輝度階調範囲に関しては、
前記第１の記憶手段に記憶された１つ前のフレームの映像信号の輝度階調に比べて現在フレームの映像信号の輝度階調が低い場合は、現在フレームの映像信号の輝度階調から前記補正値を差し引いた更に低い輝度階調の映像信号を出力し、
前記第１の記憶手段に記憶された１つ前のフレームの映像信号の輝度階調に比べて現在フレームの映像信号の輝度階調が高い場合は、現在フレームの映像信号の輝度階調に補正値を加えた更に高い輝度階調の映像信号を出力する請求項３に記載の表示制御装置。
【請求項６】
前記補正手段は、
前記液晶表示パネルを駆動するための１フレーム毎に入力される映像信号の輝度階調を補正する場合であって、
少なくとも、現在フレームの１つ前のフレームの上位ビットの映像信号を記憶する第１の記憶手段と、
前記第１の記憶手段に記憶された現在フレームの１つ前のフレームの上位ビットの映像信号の輝度階調と、現在フレームの上位ビットの映像信号の輝度階調との差分を演算し、該差分に対応した補正値を現在フレームの上位ビットの映像信号の輝度階調に演算し、補正演算後の前記現在フレームの上位ビットの映像信号に補正演算前の現在フレームの下位ビットの映像信号を加算して出力する補正回路とを備える請求項１に記載の表示制御装置。
【請求項７】
前記差分に対応した補正値を記憶する第２の記憶手段を備える請求項６に記載の表示制御装置。
【請求項８】
前記補正回路は、
前記第１の記憶手段に記憶された１つ前のフレームの上位ビットの映像信号の輝度階調と現在フレームの上位ビットの映像信号の輝度階調との差分がほぼ零の場合は、現在フレームの上位ビットの映像信号をそのまま出力し、
前記映像信号の特定の輝度階調範囲に関しては、
前記第１の記憶手段に記憶された１つ前のフレームの上位ビットの映像信号の輝度階調に比べて現在フレームの上位ビットの映像信号の輝度階調が低い場合は、現在フレームの上位ビットの映像信号の輝度階調から前記補正値を差し引いた更に低い輝度階調上位ビットの映像信号を出力し、
前記第１の記憶手段に記憶された１つ前のフレームの上位ビットの映像信号の輝度階調に比べて現在フレームの上位ビットの映像信号の輝度階調が高い場合は、現在フレームの上位ビットの映像信号の輝度階調に補正値を加えた更に高い輝度階調上位ビットの映像信号を出力する請求項６に記載の表示制御装置。
【請求項９】
前記補正手段は、
前記液晶表示パネルに１フレーム毎に入力される映像信号の輝度階調を補正する場合であって、
少なくとも、現在フレームの１つ前のフレームの映像信号を記憶する第１の記憶手段と、
前記第１の記憶手段に記憶された１つ前のフレームの映像信号の輝度階調と現在フレームの映像信号の輝度階調とをアドレスにして当該フレームの補正後の輝度階調の映像信号を出力する第２の記憶手段とを備える請求項１に記載の表示制御装置。
【請求項１０】
前記液晶表示パネルの表示応答速度に対応して予め補正値が求められる場合であって、
前記第２の記憶手段には、
前記第１の記憶手段に記憶される１つ前のフレームの映像信号の輝度階調と現在フレームの映像信号の輝度階調との差分がほぼ零の場合は、現在フレームの映像信号をそのまま記憶するようになされ、
前記映像信号の特定の輝度階調範囲に関しては、
前記第１の記憶手段に記憶された１つ前のフレームの映像信号の輝度階調に比べて現在フレームの映像信号の輝度階調が低い場合は、現在フレームの映像信号の輝度階調から前記補正値を差し引いた更に低い輝度階調の映像信号が記憶され、
前記第１の記憶手段に記憶された１つ前のフレームの映像信号の輝度階調に比べて現在フレームの映像信号の輝度階調が高い場合は、現在フレームの映像信号の輝度階調に補正値を加えた更に高い輝度階調の映像信号が記憶される請求項９に記載の表示制御装置。
【請求項１１】
前記補正手段は、
前記液晶表示パネルに１フレーム毎に入力される映像信号の輝度階調を補正する場合であって、
少なくとも、現在フレームの１つ前のフレームの上位ビットの映像信号を記憶する第１の記憶手段と、
前記第１の記憶手段に記憶された１つ前のフレームの上位ビットの映像信号の輝度階調と現在フレームの上位ビットの映像信号の輝度階調とをアドレスにして当該フレームの補正後の輝度階調の映像信号を出力する第２の記憶手段と、
前記補正後の現在フレームの上位ビットの映像信号に補正前の現在フレームの下位ビットの映像信号を加算する加算手段が備えられる請求項１に記載の表示制御装置。
【請求項１２】
前記液晶表示パネルの表示応答速度に対応して予め補正値が求められる場合であって、
前記第２の記憶手段には、
前記第１の記憶手段に記憶される１つ前のフレームの上位ビットの映像信号の輝度階調と現在フレームの映像信号の輝度階調との差分がほぼ零の場合は、現在フレームの上位ビットの映像信号をそのまま記憶するようになされ、
前記映像信号の特定の輝度階調範囲に関しては、
前記第１の記憶手段に記憶された１つ前のフレームの上位ビットの映像信号の輝度階調に比べて現在フレームの上位ビットの映像信号の輝度階調が低い場合は、現在フレームの上位ビットの映像信号の輝度階調から前記補正値を差し引いた更に低い輝度階調上位ビットの映像信号が記憶され、
前記第１の記憶手段に記憶された１つ前のフレームの上位ビットの映像信号の輝度階調に比べて現在フレームの上位ビットの映像信号の輝度階調が高い場合は、現在フレームの上位ビットの映像信号の輝度階調に補正値を加えた更に高い輝度階調上位ビットの映像信号を記憶するようになされる請求項１１に記載の表示制御装置。
【請求項１３】
１フレーム毎に印加される駆動電圧に基づいて画像を表示する液晶表示パネルと、
前記液晶表示パネルに印加電圧を供給する表示駆動手段と、
前記表示駆動手段の入出力を制御する表示制御手段とを備え、
前記表示制御手段は、
前記液晶表示パネルを駆動するための１つ前のフレームの映像信号と現在フレームの映像信号との差分を演算してノイズレベルを検出するノイズ検出手段と、
前記ノイズ検出手段により得られるノイズレベルに基づいて映像信号の輝度階調を補正し、又は、予め準備された映像信号に係る輝度階調データに基づいて当該映像信号の輝度階調を補正する補正手段と、
前記ノイズ検出手段により検出されたノイズレベルと予め設定された基準値とを比較し、比較結果に基づいて前記補正手段の出力を制御する制御装置とを有し、
前記制御装置は、
前記ノイズレベルが基準値を越える場合は、補正前の前記映像信号を選択し、
前記ノイズレベルが基準値に満たない場合は、輝度階調補正後の映像信号を選択するように前記補正手段の出力を制御する画像表示装置。
【請求項１４】
前記補正手段が前記映像信号の輝度階調を所定の補正量に対応して補正する場合であって、
前記制御装置は、前記ノイズ検出手段により検出されたノイズレベルに基づいて前記補正手段の補正量を可変設定する請求項１３に記載の画像表示装置。
【請求項１５】
前記補正手段は、
前記液晶表示パネルに１フレーム毎に入力される映像信号の輝度階調を補正する場合であって、
少なくとも、現在フレームの１つ前のフレームの映像信号を記憶する第１の記憶手段と、
前記第１の記憶手段に記憶された１つ前のフレームの映像信号の輝度階調と現在フレームの映像信号の輝度階調との差分を演算し、該差分に対応した補正値を現在フレームの映像信号の輝度階調に演算して出力する補正回路を備える請求項１３に記載の画像表示装置。
【請求項１６】
前記差分に対応した補正値を記憶する第２の記憶手段を備える請求項１５に記載の画像表示装置。
【請求項１７】
前記補正回路は、
前記第１の記憶手段に記憶された１つ前のフレームの映像信号の輝度階調と現在フレームの映像信号の輝度階調との差分がほぼ零の場合は、現在フレームの映像信号をそのまま出力し、
前記映像信号の特定の輝度階調範囲に関しては、
前記第１の記憶手段に記憶された１つ前のフレームの映像信号の輝度階調に比べて現在フレームの映像信号の輝度階調が低い場合は、現在フレームの映像信号の輝度階調から前記補正値を差し引いた更に低い輝度階調の映像信号を出力し、
前記第１の記憶手段に記憶された１つ前のフレームの映像信号の輝度階調に比べて現在フレームの映像信号の輝度階調が高い場合は、現在フレームの映像信号の輝度階調に補正値を加えた更に高い輝度階調の映像信号を出力する請求項１５に記載の画像表示装置。
【請求項１８】
前記補正手段は、
前記液晶表示パネルに１フレーム毎に入力される映像信号の輝度階調を補正する場合であって、
少なくとも、現在フレームの１つ前のフレームの上位ビットの映像信号を記憶する第１の記憶手段と、
前記第１の記憶手段に記憶された現在フレームの１つ前のフレームの上位ビットの映像信号の輝度階調と、現在フレームの上位ビットの映像信号の輝度階調との差分を演算し、該差分に対応した補正値を現在フレームの上位ビットの映像信号の輝度階調に演算し、補正演算後の前記現在フレームの上位ビットの映像信号に補正演算前の現在フレームの下位ビットの映像信号を加算して出力する補正回路とを備える請求項１３に記載の画像表示装置。
【請求項１９】
前記補正手段は、
前記差分に対応した補正値を記憶する第２の記憶手段を備える請求項１８に記載の画像表示装置。
【請求項２０】
前記補正回路は、
前記第１の記憶手段に記憶された１つ前のフレームの上位ビットの映像信号の輝度階調と現在フレームの上位ビットの映像信号の輝度階調との差分がほぼ零の場合は、現在フレームの上位ビットの映像信号をそのまま出力し、
前記映像信号の特定の輝度階調範囲に関しては、
前記第１の記憶手段に記憶された１つ前のフレームの上位ビットの映像信号の輝度階調に比べて現在フレームの上位ビットの映像信号の輝度階調が低い場合は、現在フレームの上位ビットの映像信号の輝度階調から前記補正値を差し引いた更に低い輝度階調上位ビットの映像信号を出力し、
前記第１の記憶手段に記憶された１つ前のフレームの上位ビットの映像信号の輝度階調に比べて現在フレームの上位ビットの映像信号の輝度階調が高い場合は、現在フレームの上位ビットの映像信号の輝度階調に補正値を加えた更に高い輝度階調上位ビットの映像信号を出力する請求項１８に記載の画像表示装置。
【請求項２１】
前記補正手段は、
１フレーム毎に入力される映像信号の輝度階調を補正する場合であって、
少なくとも、現在フレームの１つ前のフレームの映像信号を記憶する第１の記憶手段と、
前記第１の記憶手段に記憶された１つ前のフレームの映像信号の輝度階調と現在フレームの映像信号の輝度階調とをアドレスにして当該フレームの補正後の輝度階調の映像信号を出力する第２の記憶手段とを備える請求項１３に記載の画像表示装置。
【請求項２２】
前記表示素子の表示応答速度に対応して予め補正値が求められる場合であって、
前記第２の記憶手段には、
前記第１の記憶手段に記憶される１つ前のフレームの映像信号の輝度階調と現在フレームの映像信号の輝度階調との差分がほぼ零の場合は、現在フレームの映像信号をそのまま記憶するようになされ、
前記映像信号の特定の輝度階調範囲に関しては、
前記第１の記憶手段に記憶された１つ前のフレームの映像信号の輝度階調に比べて現在フレームの映像信号の輝度階調が低い場合は、現在フレームの映像信号の輝度階調から前記補正値を差し引いた更に低い輝度階調の映像信号が記憶され、
前記第１の記憶手段に記憶された１つ前のフレームの映像信号の輝度階調に比べて現在フレームの映像信号の輝度階調が高い場合は、現在フレームの映像信号の輝度階調に補正値を加えた更に高い輝度階調の映像信号が記憶される請求項２１に記載の画像表示装置。
【請求項２３】
前記補正手段は、
前記液晶表示パネルに１フレーム毎に入力される映像信号の輝度階調を補正する場合であって、
少なくとも、現在フレームの１つ前のフレームの上位ビットの映像信号を記憶する第１の記憶手段と、
前記第１の記憶手段に記憶された１つ前のフレームの上位ビットの映像信号の輝度階調と現在フレームの上位ビットの映像信号の輝度階調とをアドレスにして当該フレームの補正後の輝度階調の映像信号を出力する第２の記憶手段と、
前記補正後の現在フレームの上位ビットの映像信号に補正前の現在フレームの下位ビットの映像信号を加算する加算手段が備えられる請求項１３に記載の画像表示装置。
【請求項２４】
前記表示素子の表示応答速度に対応して予め補正値が求められる場合であって、
前記第２の記憶手段には、
前記第１の記憶手段に記憶される１つ前のフレームの上位ビットの映像信号の輝度階調と現在フレームの映像信号の輝度階調との差分がほぼ零の場合は、現在フレームの上位ビットの映像信号をそのまま記憶するようになされ、
前記映像信号の特定の輝度階調範囲に関しては、
前記第１の記憶手段に記憶された１つ前のフレームの上位ビットの映像信号の輝度階調に比べて現在フレームの上位ビットの映像信号の輝度階調が低い場合は、現在フレームの上位ビットの映像信号の輝度階調から前記補正値を差し引いた更に低い輝度階調上位ビットの映像信号が記憶され、
前記第１の記憶手段に記憶された１つ前のフレームの上位ビットの映像信号の輝度階調に比べて現在フレームの上位ビットの映像信号の輝度階調が高い場合は、現在フレームの上位ビットの映像信号の輝度階調に補正値を加えた更に高い輝度階調上位ビットの映像信号を記憶するようになされる請求項２３に記載の画像表示装置。
【請求項２５】
前記表示制御手段は、
温度変化に対応する補正値を当該フレームの輝度階調の映像信号に演算した後の複数のルックアップテーブルを備え、使用環境温度に応じて温度依存性階調データの読出しを切り換えるようになされる請求項１３に記載の画像表示装置。
【発明の詳細な説明】
【０００１】
【発明の属する技術分野】
本発明は、１フレーム毎に映像信号を供給して画像表示をするプラズマ駆動型の液晶ディスプレイ（ＰＡＬＣ）や、液晶テレビ（ＬＣＤＴＶ）、液晶プロジェクタ（ＬＣＤＰＪ）などに適用して好適な表示制御装置及び画像表示装置に関する。詳しくは、映像信号の輝度階調に対応して表示応答速度が異なるマトリクス型の表示素子を表示制御する場合に、ノイズレベルに基づいて映像信号の輝度階調を補正し、又は、予め準備された映像信号に係る輝度階調データを選択して当該表示素子の表示応答速度を改善する表示応答速度改善手段を備え、ノイズ検出手段により検出された映像信号のノイズレベルに基づいて表示応答速度改善手段から補正前の映像信号又は補正後の映像信号を出力するようにして、映像信号中のノイズレベルやノイズ量に応じて表示素子におけるノイズの影響を低減できるようにすると共に、輝度階調の急変時の表示応答速度の遅れ性を改善できるようにしたものである。
【０００２】
【従来の技術】
近年、ブラウン管（ＣＲＴ）に比べて薄型という特徴を有した液晶表示パネルでは、その生産歩留まりの向上と共に、その大型化が可能となり、アナログ地上波の放送番組を通常のＣＲＴを備えたテレビと同様にして受信し表示するようになってきた。
【０００３】
この種の液晶表示パネルには液晶駆動回路が接続され、入力された輝度階調レベルの映像データに基づいて所定の駆動電圧を生成し、この駆動電圧を液晶表示パネルに印加して輝度階調制御が行われる。この輝度階調制御では液晶駆動回路により輝度階調レベルに十分に追従して駆動電圧を生成することができ、この駆動電圧を液晶表示パネルに印加することができる。
【０００４】
【発明が解決しようとする課題】
ところで、従来例に係る液晶表示装置によれば、液晶の透過光の応答において映像データの輝度階調レベルの変動により液晶が駆動電圧に十分に追従できない場合がある。これは液晶のねじれの復帰時間に依存するものと考えられる。
【０００５】
このため、動きの早い映像データ、例えば、輝度変化の激しい映像を液晶駆動回路に入力した場合にその輝度変化、すなわち、駆動電圧に液晶が追従できずに輪郭がぼけてたような映像になるという問題がある。
【０００６】
この問題に対して、技術文献である特許公報第２７０８７４６号には液晶制御回路が記載されている。この液晶制御回路によれば、現在フレームの１つ前のフレームの記憶階調データＡと、現在フレームの入力階調データＢとを比較し、Ｂ＞Ａの場合は予測された補正階調データを出力し、Ａ＜Ｂの場合は入力階調データＢをそのまま出力するものである。従って、輝度階調制御が予測精度に大きく依存してしまうという問題がある。
【０００７】
また、技術文献である特開平４−２８８５８９号公報には液晶表示装置が記載されている。この液晶表示装置によれば、現在フレームの１つ前のフィールド画像の映像信号と、現在フレームの入力映像信号から各画素の時間軸方向のレベル変動を検出し、この検出レベルに基づいて高域強調フィルタを制御することで、中間階調での表示応答速度を高速化している。従って、輝度階調制御が高域強調フィルタの特性に大きく依存してしまうという問題がある。
【０００８】
更に、映像信号補正方式の表示制御装置によれば、映像信号にノイズが含まれていた場合に補正回路を通すことによって、ノイズも強調されてしまい、表示素子において、ノイズが目立ってしまうという問題がある。
【０００９】
そこで、この発明はこのような従来の課題を解決したものであって、映像信号中のノイズレベルやノイズ量に応じて表示素子におけるノイズの影響を低減できるようにすると共に、輝度階調の急変時の表示応答速度の遅れ性を改善できるようにした表示制御装置及び画像表示装置を提供することを目的とする。
【００１０】
【課題を解決するための手段】
上述した課題は、液晶表示パネルを駆動するための１つ前のフレームの映像信号と現在フレームの映像信号との差分を演算してノイズレベルを検出するノイズ検出手段と、このノイズ検出手段により得られるノイズレベルに基づいて映像信号の輝度階調を補正し、又は、予め準備された映像信号に係る輝度階調データ基づいて当該映像信号の輝度階調を補正する補正手段と、ノイズ検出手段により検出されたノイズレベルと予め設定された基準値とを比較し、比較結果に基づいて補正手段の出力を制御する制御装置とを有し、制御装置は、ノイズレベルが基準値を越える場合は、補正前の映像信号を選択し、ノイズレベルが基準値に満たない場合は、輝度階調補正後の映像信号のいずれかを選択するように補正手段の出力を制御するようにした表示制御装置によって解決される。
【００１１】
本発明に係る表示制御装置によれば、映像信号の輝度階調に対応して表示応答速度が異なるマトリクス型の液晶表示パネルを表示制御する場合に、一方で、ノイズ検出手段では１つ前のフレームの映像信号と現在フレームの映像信号との差分が演算されてノイズレベルが検出される。他方で、補正手段では液晶表示パネルの表示応答速度を改善するためのノイズ検出手段により得られるノイズレベルに基づいて映像信号の輝度階調を補正し、又は、予め準備された映像信号に係る輝度階調データを選択するようになされる。
【００１２】
従って、ノイズ検出手段により検出された映像信号のノイズレベルに基づいて補正手段から補正前の映像信号を含む補正後の映像信号を液晶表示パネルに出力することができる。しかも、映像信号中のノイズレベルが大きい場合やノイズ量が多い場合は補正処理を行うことなく補正前の映像信号をそのまま液晶表示パネルに出力することができ、輝度階調の急変時の表示応答速度の遅れ性をフルに利用してノイズの影響を除くことができる。
【００１３】
また、映像信号中のノイズレベルが小さい場合やノイズ量が少ない場合は補正後の映像信号を液晶表示パネルに出力することができ、輝度階調の急変時の表示応答速度の遅れ性を改善することができる。
【００１４】
本発明に係る画像表示装置は映像信号の輝度階調に対応して表示応答速度が異なるマトリクス型の液晶表示パネルを有して、１フレーム毎に印加される駆動電圧に基づいて画像を表示する映像表示手段と、この映像表示手段に印加電圧を供給する表示駆動手段と、この表示駆動手段の入出力を制御する表示制御手段とを備え、この表示制御手段は、液晶表示パネルを駆動するための１つ前のフレームの映像信号と現在フレームの映像信号との差分を演算してノイズレベルを検出するノイズ検出手段と、このノイズ検出手段により得られるノイズレベルに基づいて映像信号の輝度階調を補正し、又は、予め準備された映像信号に係る輝度階調データ基づいて当該映像信号の輝度階調を補正する補正手段と、ノイズ検出手段により検出されたノイズレベルと予め設定された基準値とを比較し、比較結果に基づいて補正手段の出力を制御する制御装置とを有し、制御装置は、ノイズレベルが基準値を越える場合は、補正前の映像信号を選択し、ノイズレベルが基準値に満たない場合は輝度階調補正後の映像信号のいずれかを選択するように補正手段の出力を制御するようにしたものである。
【００１５】
本発明に係る画像表示装置によれば、映像信号の輝度階調に対応して表示応答速度が異なるマトリクス型の液晶表示パネルを表示制御する場合に、上述した表示制御装置が応用されるものである。
【００１６】
従って、ノイズ検出手段により検出された映像信号のノイズレベルに基づいて補正手段（以下表示応答速度改善手段ともいう）から補正前の映像信号又は補正後の映像信号を液晶表示パネルに出力することができる。しかも、映像信号中のノイズレベルが大きい場合やノイズ量が多い場合は補正処理を行うことなく補正前の映像信号をそのまま液晶表示パネルに出力することができ、輝度階調の急変時の表示応答速度の遅れ性をフルに利用してノイズの影響を除くことができる。
【００１７】
また、映像信号中のノイズレベルが小さい場合やノイズ量が少ない場合は補正後の映像信号を液晶表示パネルに出力することができ、輝度階調の急変時の表示応答速度の遅れ性を改善することができる。
【００１８】
【発明の実施の形態】
続いて、この発明に係る表示制御装置及び画像表示装置の一実施の形態について、図面を参照しながら説明をする。
（１）第１の実施形態
図１は本発明に係る第１の実施形態としての表示制御装置１００の構成例を示すブロック図である。図２Ａ〜Ｅはノイズ検出手段６０の構成例を示すブロック図である。
この実施形態では、映像信号の輝度階調に対応して表示応答速度が異なるマトリクス型の表示素子を表示制御する場合に、ノイズレベルに基づいて映像信号の輝度階調を補正し、又は、予め準備された映像信号に係る輝度階調データを選択して当該表示素子の表示応答速度を改善する応答速度改善手段を備え、ノイズ検出手段により検出された映像信号のノイズレベルに基づいて応答速度改善手段から補正前の映像信号又は補正後の映像信号のいずれかを出力するようにする。
【００１９】
そして、映像信号中のノイズレベルやノイズ量に応じて表示素子におけるノイズの影響を低減できるようにすると共に、輝度階調の急変時の表示応答速度の遅れ性を改善できるようにしたものである。
【００２０】
図１に示す表示制御装置１００は輝度階調に対応して表示応答速度が異なるマトリクス型の表示素子を１フレーム毎に入力される映像信号ＳINに基づいて表示制御する装置である。この表示制御装置１００は応答速度改善手段５０、ノイズ検出手段６０及び制御装置７０を備えている。応答速度改善手段５０では液晶表示素子等の表示応答速度を改善するために１フレーム毎に入力される映像信号ＳINを補正するようになされる。ノイズ検出手段６０では映像信号ＳINからノイズレベルＮＬが検出される。もちろん、映像信号ＳINからノイズ量を検出するようにしてもよい。
【００２１】
このノイズ検出手段６０には制御装置７０が接続されており、外部制御信号ＣＴＬとノイズレベルＮＬとに基づいて補正前の映像信号ＳIN又は応答速度改善手段５０により得られる補正後の映像信号ＳOUTのいずれかを出力するように制御される。ノイズ検出手段６０には例えば図２Ａに示すフレームメモリ６１、差分検出回路６２及び非線形フィルタ回路６３から構成されるものが使用される。
【００２２】
図２Ａに示すフレームメモリ６１には図２Ｂに示す現在フレームの１つ前のフレームの映像信号ＳIN’が入力され、この映像信号ＳIN’が記憶される。この例では１つ前のフレームの映像信号ＳIN’に比べて図２Ｃに示す現在フレームの映像信号ＳINのノイズレベルが多い場合を示している。現在フレームの１つ前のフレームの映像信号ＳIN’の信号成分はＩ１であり、ノイズ成分はＮ１である。現在フレームの映像信号ＳINの信号成分はＩ２であり、ノイズ成分はＮ２である。
【００２３】
このフレームメモリ６１には差分検出回路６２が接続されており、フレームメモリ６１に記憶された１つ前のフレームの映像信号ＳIN’と現在フレームの映像信号ＳINとが入力され、これらのフレーム間の映像信号ＳINの差分を演算して図２Ｄに示すフレーム間の動き成分Ｉ１−Ｉ２及びノイズ成分Ｎ１−Ｎ２を検出するようになされる。
【００２４】
動き成分Ｉ１−Ｉ２及びノイズ成分Ｎ１−Ｎ２はフレーム間差分信号ＳＮとして差分検出回路６２から非線形フィルタ回路６３へ出力される。非線形フィルタ回路６３は図２Ｅに示す入力−出力特性を有している。縦軸は出力レベル（ノイズ成分）であり、横軸は入力レベル（フレーム間差分信号ＳＮ）である。非線形フィルタ回路６３ではフレーム間差分信号ＳＮから入力レベルの大きな動き成分Ｉ１−Ｉ２が除去され、ノイズ成分のみが抽出される。その後、ノイズ成分は積分され、図１に示した制御装置７０へノイズレベルＮＬとして出力される。
【００２５】
この制御装置７０では応答速度改善手段５０が映像信号ＳINを所定の補正量に対応して補正する場合であって、ノイズ検出手段６０により検出されたノイズレベルＮＬに基づいて応答速度改善手段５０の補正量を可変設定するようになされる。制御装置７０は応答速度改善手段５０に補正制御信号Ｓａを出力して補正量を可変設定する。輝度階調に対応して表示素子の表示応答速度の遅れを改善するためである。
【００２６】
続いて、当該表示制御装置１００における動作例について説明をする。図３は本発明に係る第１の実施形態としての表示制御装置１００の動作例を示すフローチャートである。
この実施形態では輝度階調に対応して表示応答速度が異なるマトリクス型の表示素子を映像信号ＳINに基づいて表示制御する場合を前提にして、図３に示すフローチャートのステップＡ１で当該表示制御装置１００に映像信号ＳINが入力されると、ステップＡ２で表示素子の表示応答速度を改善するために応答速度改善手段５０によって映像信号ＳINが補正される。
【００２７】
これに並行してステップＡ３でノイズ検出手段６０によって映像信号ＳINからノイズが検出される。ここで検出されたノイズレベルＮＬは制御装置７０に出力される。制御装置７０ではステップＡ４でノイズレベルＮＬに基づいて現在フレーム（補正前）の映像信号ＳIN又は応答速度改善手段５０により得られた補正前の映像信号ＳINを含む補正後の映像信号ＳOUTのいずれかを出力するように制御される。
【００２８】
従って、映像信号中のノイズレベルＮＬが小さい場合やノイズ量が少ない場合は現在フレームとその1つ前のフレームの映像信号の差をより増加させる補正を行った補正後の映像信号ＳOUTを表示素子に出力することができ、輝度階調の急変時の表示素子の表示応答速度の遅れ性を改善することができる。
【００２９】
また、映像信号中のノイズレベルＮＬが大きい場合やノイズ量が多い場合は補正前の映像信号ＳINをそのまま表示素子に出力することができ、輝度階調の急変時の表示素子表示応答速度の遅れ性をフルに利用してノイズの影響を除くことができる。なお、補正前の映像信号ＳINをそのまま表示素子に出力する代わりに、現在フレームとその1つ前のフレームの映像信号ＳIN’の差を抑制する補正を行った映像信号ＳOUTを表示素子に出力するようにしてノイズをさらに目立たなくするようにしてもよい。
【００３０】
更にまた、図３に示すフローチャートによれば、ステップＡ２に係るノイズ検出処理と、ステップＡ３に係る補正処理とを並列して実行しているが、波線内図に示すようにステップＡ２に係るノイズ検出処理の後に、ステップＡ３に係る補正処理を実行するようにしてもよい。
【００３１】
（２）第２の実施形態
図４は本発明に係る第２の実施形態としての表示制御装置２００の構成例を示すブロック図である。
この実施形態では輝度階調に対応して表示応答速度が異なるマトリクス型の表示素子を映像信号ＳINに基づいて表示制御する場合に、映像信号中のノイズレベルＮＬに基づいて補正前の映像信号ＳIN又は応答速度改善手段５０による補正後の複数の映像信号ＳOUTの出力候補のいずれかを選択する選択手段８０を備え、映像信号中のノイズレベルＮＬが大きい場合やノイズ量が多い場合は、輝度階調の急変時の表示素子の表示応答速度の遅れ性を利用してノイズの影響を除去できるようにすると共に、映像信号中のノイズレベルＮＬが小さい場合やノイズ量が少ない場合は、輝度階調の急変時の表示素子の表示応答速度の遅れ性を改善できるようにしたものである。
【００３２】
図４に示す表示制御装置２００は輝度階調に対応して表示応答速度が異なるマトリクス型の表示素子を１フレーム毎に入力される映像信号ＳINに基づいて表示制御する装置である。この表示制御装置２００は応答速度改善手段５０、ノイズ検出手段６０、選択手段８０及び制御装置７０を備えている。
【００３３】
この応答速度改善手段５０には選択手段８０が接続されており、補正前の映像信号ＳIN又は応答速度改善手段５０により得られる補正後の複数の映像信号ＳOUTの出力候補のいずれかをノイズレベルＮＬに基づいて選択するようになされる。制御装置７０は選択手段８０に選択制御信号Ｓｃを出力して例えば、補正前の映像信号ＳINを選択するようになされる。
【００３４】
制御装置７０では例えばノイズ検出手段６０により検出されたノイズレベルＮＬと予め設定された基準値とを比較するようになされる。基準値は外部制御信号ＣＴＬによって設定される。例えば、ノイズレベルＮＬが基準値を越える場合は、補正前の映像信号ＳINを選択し、ノイズレベルＮＬが基準値に満たない場合は表示応答速度補正回路による補正後の映像信号ＳOUTを選択するように選択手段８０を制御する。なお、第１の実施形態と同じ名称及び符号のものは同じ機能を有するのでその説明を省略する。
【００３５】
このように、本発明に係る第２の実施形態としての表示制御装置２００によれば、輝度階調に対応して表示応答速度が異なるマトリクス型の表示素子を映像信号ＳINに基づいて表示制御する場合を前提にして、当該表示制御装置７０に映像信号ＳINが入力されると、一方で、表示素子の表示応答速度を改善するために応答速度改善手段５０によって映像信号ＳINが補正される。
【００３６】
これに並行してノイズ検出手段６０によって映像信号ＳINからノイズが検出される。ここで検出されたノイズレベルＮＬは制御装置７０に出力される。制御装置７０ではノイズ検出手段６０により検出されたノイズレベルＮＬと予め設定された基準値とが比較され、ノイズレベルＮＬが基準値を越える場合は、補正前の映像信号ＳINを選択し、ノイズレベルＮＬが基準値に満たない場合は応答速度改善手段５０による補正後の映像信号ＳOUTを選択するようになされる。
【００３７】
従って、映像信号中のノイズレベルＮＬが大きい場合やノイズ量が多い場合は第１の実施形態と同様にして補正前の映像信号ＳINをそのまま表示素子に出力することができ、輝度階調の急変時の表示素子の表示応答速度の遅れ性をフルに利用してノイズの影響を除くことができる。また、映像信号中のノイズレベルＮＬが小さい場合やノイズ量が少ない場合は補正後の映像信号ＳOUTを表示素子に出力することができ、輝度階調の急変時の表示素子の表示応答速度の遅れ性を改善することができる。
【００３８】
（３）第１の実施例
図５は本発明に係る第１の実施例としての表示制御装置１０１を応用した画像表示装置２０１の構成例を示すブロック図である。
この実施例では映像信号ＳINの輝度階調に対応して表示応答速度が異なるマトリクス型の表示素子を表示制御する場合に、映像信号ＳINからノイズを検出するノイズ検出手段６０を備え、ここで検出されたノイズレベルＮＬに基づいて補正前の映像信号ＳIN又は補正後の映像信号ＳOUTのいずれかを出力する。そして、制御装置７０によりノイズレベルＮＬに基づいて補正量を可変設定するようになされる。
【００３９】
図５に示す画像表示装置２０１は１フレーム毎に入力される映像信号ＳINに基づいて画像を表示するものであり、表示制御装置１０１、表示駆動手段１１及び映像表示手段１２を有している。表示制御装置１０１は表示制御手段の一例であり、表示駆動手段１１の入出力を制御するものである。
【００４０】
この表示制御装置１０１には表示駆動手段１１が接続されており、映像表示手段１２に印加電圧を供給するようになされる。表示駆動手段１１には表示形式にもよるが、例えば、映像表示手段１２に液晶表示パネルを使用した場合には、走査電極駆動ＩＣや信号電極駆動ＩＣが使用される。
【００４１】
この表示駆動手段１１には映像表示手段１２が接続されており、１フレーム毎に印加される駆動電圧ＶOUTに基づいて画像を表示するようになされる。映像表示手段１２にはマトリクス型の表示素子の一例と.なる液晶表示パネルなどが使用される。この映像表示手段１２は１フレーム毎に印加される駆動電圧に基づいて画像を表示するようになされる。この種の表示素子は輝度階調に対応して表示応答速度が異なる。
【００４２】
表示制御装置１０１は第１の応答速度改善手段５１、ノイズ検出手段６０及び制御装置７０を有している。応答速度改善手段５１は映像信号ＳINを補正するために第１の記憶手段１及び補正回路３を有しており、映像表示手段１２の表示応答速度を改善するようになされる。
【００４３】
第１の記憶手段１には現在フレームの１つ前のフレームの映像信号ＳIN’を記憶するようになされる。記憶手段１にはランダムアクセス可能なメモリ（ＲＡＭ）が使用される。この記憶手段１には補正回路３が接続されており、１フレーム毎に入力される映像信号ＳINを補正する場合であって、記憶手段１に記憶された１つ前のフレームの映像信号ＳIN’の輝度階調と現在フレームの映像信号ＳINの輝度階調との差分Ｌεを演算し、その差分Ｌεに対応した補正値を現在フレームの映像信号ＳINの輝度階調に演算して出力するようになされる。
【００４４】
ノイズ検出手段６０では映像信号ＳINからノイズレベルＮＬを検出するようになされる。補正回路３及びノイズ検出手段６０には制御装置７０が接続されている。制御装置７０では映像信号ＳINを所定の補正量に対応して補正する場合であって、ノイズ検出手段６０により検出されたノイズレベルＮＬに基づいて補正回路３の補正量を可変設定するようになされる。
【００４５】
制御装置７０は補正回路３に補正制御信号Ｓａを出力して補正量を可変設定する。輝度階調に対応して表示素子の表示応答速度の遅れを改善するためである。しかも、制御装置７０はノイズレベルＮＬに基づいて補正前の映像信号ＳIN又は応答速度改善手段５１による補正後の映像信号ＳOUTのいずれかを出力するようになされる。補正回路３や制御装置７０にはＣＰＵ（中央演算装置）が使用される。
【００４６】
図６は補正回路３における補正処理例を示す輝度階調レベルの図である。図６に示す縦軸は補正回路３に入力される映像信号ＳINの輝度階調レベルであり、横軸は時間ｔである。Ｌ１は現在フレームの前のフレームの映像信号ＳINの輝度階調レベルである。Ｌ２は現在フレームの映像信号ＳINの輝度階調レベルである。Ｌεは現在フレームの前のフレームの映像信号ＳINの輝度階調レベルＬ１と、現在フレームの映像信号ＳINの輝度階調レベルＬ２との差分であり、式（１）により演算される。
Ｌε＝Ｌ１−Ｌ２  ・・・・（１）
Ｌｒｉは現在フレームの映像信号ＳINの輝度階調レベルＬ２に対する補正値である。
【００４７】
また、図６に示すＬ２’は補正後の現在フレームの映像信号ＳINの輝度階調レベルであり、式（２）により演算される。
Ｌ２’＝Ｌ２＋Ｌｒｉ・・・・（２）
【００４８】
つまり、現在フレームの前のフレームの映像信号ＳINの輝度階調レベルＬ１に比較して現在フレームの映像信号ＳINの輝度階調レベルＬ２が低い場合は、負の補正値−Ｌｒｉが適用されるので、現在フレームの映像信号ＳINの輝度階調レベルＬ２から補正値Ｌｒｉを差し引いた更に低い輝度階調の映像信号ＳINを出力するようになされる。
【００４９】
また、現在フレームの前のフレームの映像信号ＳINの輝度階調レベルＬ１に比較して現在フレームの映像信号ＳINの輝度階調レベルＬ２が高い場合は、正の補正値＋Ｌｒｉが適用されるので、現在フレームの映像信号ＳINの輝度階調レベルＬ２に補正値＋Ｌｒｉを加えた更に高い輝度階調の映像信号ＳINを出力するようになされる。
【００５０】
この例で補正回路３では記憶手段１に記憶された１つ前のフレームの映像信号ＳIN’の輝度階調と現在フレームの映像信号ＳINの輝度階調との差分Ｌεがほぼ零の場合は、現在フレームの映像信号ＳINをそのまま出力するようになされる。映像信号ＳINの特定の輝度階調範囲に関しては、記憶手段１に記憶された１つ前のフレームの映像信号ＳIN’の輝度階調に比較して現在フレームの映像信号ＳINの輝度階調が低い場合は、現在フレームの映像信号ＳINの輝度階調から補正値を差し引いた更に低い輝度階調の映像信号ＳINを出力するようになされる。
【００５１】
また、記憶手段１に記憶された１つ前のフレームの映像信号ＳIN’の輝度階調に比較して現在フレームの映像信号ＳINの輝度階調が高い場合は、現在フレームの映像信号ＳINの輝度階調に補正値を加えた更に高い輝度階調の映像信号ＳINを出力する。
【００５２】
このように、本発明に係る第１の実施例としての画像表示装置２０１によれば、映像信号ＳINの輝度階調に対応して表示応答速度が異なる映像表示手段１２を表示制御する場合を前提にして、当該表示制御装置１０１に映像信号ＳINが入力されると、映像表示手段１２の表示応答速度を改善するために補正回路３によって映像信号ＳINが補正される。
【００５３】
これに並行してノイズ検出手段６０によって映像信号ＳINからノイズが検出される。ここで検出されたノイズレベルＮＬは制御装置７０に出力される。制御装置７０ではノイズレベルＮＬに基づいて補正前の映像信号ＳIN又は補正回路３により得られた補正後の映像信号ＳOUTのいずれかを出力するようになされる。
【００５４】
従って、映像信号中のノイズレベルＮＬが大きい場合やノイズ量が多い場合は補正前の映像信号ＳINをそのまま表示素子に出力することができ、輝度階調の急変時の表示素子の表示応答速度の遅れ性をフルに利用してノイズの影響を除くことができる。
【００５５】
また、映像信号中のノイズレベルＮＬが小さい場合やノイズ量が少ない場合は補正後の映像信号ＳOUTを表示素子に出力することができ、輝度階調の急変時の表示素子の表示応答速度の遅れ性を改善することができる。
【００５６】
この例では補正値Ｌｒｉを制御装置７０によって演算する場合について説明したが、これに限られることはない。予め演算された補正値ＬｒｉをＲＯＭ等に格納しておき、補正時にこのＲＯＭから読み出して使用するようにしてもよい。
【００５７】
（４）第２の実施例
図７は本発明に係る第２の実施例としての表示制御装置１０２を応用した画像表示装置２０２の構成例を示すブロック図である。
この実施例では図７に示す補正回路３と制御装置７０との間に第２の記憶手段２が接続され、予め演算された補正値Ｌｒｉが格納され、補正時にこの記憶手段２から補正値Ｌｒｉを読み出して使用するようにしたものである。もちろん、ノイズ検出手段６０及び制御装置７０を備えており、ノイズの程度により、補正回路３の補正値Ｌｒｉ又は動作の有無を制御することにより、ノイズの影響を少なくするようになされる。
【００５８】
図７に示す画像表示装置２０２は１フレーム毎に入力される映像信号ＳINに基づいて画像を表示するものであり、表示制御装置１０２、表示駆動手段１１及び映像表示手段１２を有している。表示制御装置１０２は表示制御手段の一例であり、表示駆動手段１１の入出力を制御するものである。
【００５９】
表示制御装置１０２は第２の応答速度改善手段５２、ノイズ検出手段６０及び制御装置７０を有している。応答速度改善手段５２は映像信号ＳINを補正するために第１の記憶手段１、第２の記憶手段２及び補正回路３を有しており、映像表示手段１２の表示応答速度を改善するようになされる。
【００６０】
この表示制御装置１０２では補正回路３に第２の記憶手段２が接続されており、この差分Ｌεに対応した補正値Ｌｒｉを記憶するようになされる。制御装置７０は読出し制御信号ＯＥに基づいて記憶手段２の読出し制御をするようになされる。記憶手段２には読出し専用メモリ（ＲＯＭ）が使用される。補正値Ｌｒｉは映像表示手段１２の種類に応じて予め最適値が求められ、この補正値Ｌｒｉが参照テーブル化されてＲＯＭ等に格納される。
【００６１】
この例でも、補正回路３では記憶手段１に記憶された１つ前のフレームの映像信号ＳIN’の輝度階調と現在フレームの映像信号ＳINの輝度階調との差分Ｌεがほぼ零の場合は、現在フレームの映像信号ＳINをそのまま出力するようになされる。
【００６２】
映像信号ＳINの特定の輝度階調範囲に関しては、記憶手段１に記憶された１つ前のフレームの映像信号ＳIN’の輝度階調に比較して現在フレームの映像信号ＳINの輝度階調が低い場合は、現在フレームの映像信号ＳINの輝度階調から補正値を差し引いた更に低い輝度階調の映像信号ＳINを出力する。
【００６３】
また、記憶手段１に記憶された１つ前のフレームの映像信号ＳIN’の輝度階調に比較して現在フレームの映像信号ＳINの輝度階調が高い場合は、現在フレームの映像信号ＳINの輝度階調に補正値を加えた更に高い輝度階調の映像信号ＳINを出力するようになされる。
【００６４】
この補正回路３には表示駆動手段１１が接続されており、補正後の映像信号ＳOUTに基づいて駆動電圧ＶOUTを発生し、この駆動電圧ＶOUTを映像表示手段１２に供給するようになされる。なお、第１の実施例と同じ名称及び同じ符号のものは同じ機能を有するため、その説明を省略する。
【００６５】
図８は記憶手段（ＲＯＭ）２の参照テーブル内容例を示すイメージ図である。このＲＯＭには、１つ前のフレームの映像信号ＳIN’の輝度階調レベルＬ１と現在フレームの映像信号ＳINの輝度階調レベルＬ２との差分Ｌεがほぼ零となる場合は、現在フレームの映像信号ＳINをそのまま出力するために、補正値としては「０」が記述される。
【００６６】
現在フレームの前のフレームの映像信号ＳINの輝度階調レベルＬ１に比較して現在フレームの映像信号ＳINの輝度階調レベルＬ２が低い場合、すなわち、（１）式の演算結果がＬεｉ＞０となる場合は、負の補正値として−Ｌｒ１，−Ｌｒ２，−Ｌｒ３，−Ｌｒｉ，・・・−Ｌｒｎが準備される。反対に、現在フレームの前のフレームの映像信号ＳINの輝度階調レベルＬ１に比較して現在フレームの映像信号ＳINの輝度階調レベルＬ２が高い場合、すなわち、（１）式の演算結果がＬεｉ＜０となる場合は、正の補正値として＋Ｌｒ１，＋Ｌｒ２，＋Ｌｒ３，＋Ｌｒｉ，・・・＋Ｌｒｎが準備される（図８参照）。
【００６７】
なお、補正前の映像信号ＳINをそのまま表示素子に出力する代わりに、現在フレームとその1つ前のフレームの映像信号ＳIN’の差を抑制する補正を行う場合は、補正する内容（データの絶対値）は異なるも上述の補正値と符号が反対となる補正値を使用するようにするとよい。このような補正値を使用して補正を行った映像信号ＳOUTを表示素子に出力すると、ノイズをさらに目立たなくすることができる。
【００６８】
続いて、画像表示装置２０２の動作例について説明をする。図９は画像表示装置２０２の動作例を示すフローチャートである。この実施例では輝度階調に応じて表示応答速度が異なる映像表示手段１２を１フレーム毎に入力される映像信号ＳINに基づいて表示制御する場合を前提とする。
【００６９】
この画像表示装置２０２では図７に示した記憶手段２に図８に示したような補正値±Ｌｒｉが格納されている。この例で現在フレームの前のフレームの映像信号ＳINの輝度階調レベルＬ１と現在フレームの映像信号ＳINの輝度階調レベルＬ２との差分Ｌεがほぼ零となる場合は、現在フレームの映像信号ＳINをそのまま出力し、現在フレームの前のフレームの映像信号ＳINの輝度階調レベルＬ１に比較して現在フレームの映像信号ＳINの輝度階調レベルＬ２が低い、あるいは、高い場合は、補正値±Ｌｒｉで補正する場合を想定する。
【００７０】
これを補正条件にして、図９に示すフローチャートのステップＢ１で当該表示制御装置１０２に映像信号ＳINが入力されると、映像信号ＳINが記憶手段１及び補正回路３に入力される。ステップＢ２〜ステップＢ４で映像表示手段１２の表示応答速度を改善するために応答速度改善手段５２によって映像信号ＳINが補正される。
【００７１】
この例ではステップＢ２に移行して補正回路３では現在フレームの前のフレームの映像信号ＳINの輝度階調レベルＬ１と、現在フレームの映像信号ＳINの輝度階調レベルＬ２との差分Ｌεが式（１）により演算される。その後、ステップＢ３に移行して記憶手段２から補正回路３へ、差分Ｌεに対応する補正値Ｌｒｉが読み出される。そして、ステップＢ４に移行して補正回路３では、補正値Ｌｒｉを使用して式（２）により現在フレームの映像信号ＳINの輝度階調レベルＬ２’が演算される。
【００７２】
これに並行してステップＢ５でノイズ検出手段６０によって映像信号ＳINからノイズが検出される。ここで検出されたノイズレベルＮＬは制御装置７０に出力される。制御装置７０ではステップＢ６でノイズ検出手段６０により検出されたノイズレベルＮＬと予め設定された基準値とが比較される。そして、ノイズレベルＮＬが基準値を越える場合は、ステップＢ７に移行して補正前の映像信号ＳINをそのまま出力する。ノイズレベルＮＬが基準値に満たない場合はステップＢ８に移行して応答速度改善手段５２による補正後の映像信号ＳOUTを出力するようになされる。
【００７３】
これにより、ノイズレベルＮＬが基準値を越える場合は、ステップＢ９で補正前の映像信号ＳINに基づいて発生された駆動電圧ＶOUTを映像表示手段１２に供給するようになされる。従って、ステップＢ１０で映像表示手段１２では、１フレーム毎に印加される駆動電圧ＶOUTに基づいて画像が表示される。このとき、輝度階調の急変時の表示素子の表示応答速度の遅れ性をフルに利用してノイズの影響を除くことができる。
【００７４】
また、ノイズレベルＮＬが基準値を越えない場合は、ステップＢ９で補正後の映像信号ＳOUTに基づいて発生された駆動電圧ＶOUTを映像表示手段１２に供給するようになされる。従って、ステップＢ１０で映像表示手段１２では、補正後の現在フレームの映像信号ＳINの輝度階調レベルＬ２’に基づいて映像表示手段１２が駆動される。ステップＢ１１では電源オフ情報などを検出して画像表示処理を終了する。電源オフ情報等が検出されない場合はステップＢ１に戻って上述した画像表示処理が継続される。
【００７５】
このように、映像信号中のノイズレベルＮＬが小さい場合やノイズ量が少ない場合は輝度階調の急変時の表示素子の表示応答速度の遅れ性を改善することができる。しかも、この実施例では現在フレームの１つ前のフレームの映像信号ＳIN’の輝度階調レベルＬ１ｉに比較して現在フレームの映像信号ＳINの輝度階調レベルＬ２ｉが低い場合は、当該フレームの映像信号ＳINの輝度階調レベルＬ２ｉから補正値Ｌｒｉを差し引いた更に低い輝度階調の映像信号ＳOUTを出力することができる。
【００７６】
また、１つ前のフレームの映像信号ＳIN’の輝度階調レベルＬ１ｉに比較して現在フレームの映像信号ＳINの輝度階調レベルＬ２ｉが高い場合は、当該フレームの映像信号ＳINの輝度階調レベルＬ２ｉに補正値Ｌｒｉを加えた更に高い輝度階調の映像信号ＳOUTを出力することができる。
【００７７】
これにより、映像表示手段１２に液晶表示パネルを用いた場合でも動きの早い映像信号ＳINに十分対処することが可能となる。また、輝度変化の激しい映像を入力した場合でも、その輝度変化、すなわち、液晶が印加電圧に追従できずに映像の輪郭がぼけてしまうような現象を防止できる（鮮鋭度改善機能）。
【００７８】
（５）第３の実施例
図１０は本発明に係る第３の実施例としての表示制御装置１０３を応用した画像表示装置２０３の構成例を示すブロック図である。
この実施例では映像信号ＳINを上位ビットと下位ビットに分け、その上位ビットのみに補正を加え、第２の実施例に比べて第１の記憶手段１のメモリ容量を削減するようにしたものである。もちろん、ノイズ検出手段６０及び制御装置７０を備えており、ノイズの程度により、補正回路３の補正値Ｌｒｉ又は動作の有無を制御することにより、ノイズの影響を少なくするようになされる。なお、第１及び第２の実施例と同じ符号及び同じ名称のものは同じ機能を有するためその説明を省略する。
【００７９】
図１０に示す画像表示装置２０３は表示制御装置１０３、表示駆動手段１１及び映像表示手段１２を有している。表示制御装置１０３は表示駆動手段１１の入出力を制御するものであり、第３の応答速度改善手段５３、ノイズ検出手段６０及び制御装置７０を有している。
【００８０】
応答速度改善手段５３は１フレーム毎に入力される映像信号ＳINを補正するために、第１の記憶手段４、補正回路６及び加算手段７を有している。記憶手段４には現在フレームの前のフレームの上位ビットの映像信号ＳINを記憶するようになされる。記憶手段４には第１の実施例に比べて少ないメモリ容量のＲＡＭが使用される。
【００８１】
この記憶手段４には補正回路６が接続されており、記憶手段４から読み出した１つ前のフレームの上位ビットの映像信号ＳINの輝度階調レベルＬ１と、現在フレームの上位ビットの映像信号ＳINの輝度階調レベルＬ２との差分を演算し、その差分に対応した補正値Ｌｒｉを現在フレームの上位ビットの映像信号ＳINの輝度階調レベルＬ２に演算して出力するようになされる。これは映像表示手段１２における映像信号ＳINのフレーム毎の階調レベルの変化に伴う表示応答速度を改善するためである。補正回路６にはＣＰＵ（中央演算装置）が使用される。
【００８２】
この補正回路６には制御装置７０から補正制御信号Ｓａが入力されて補正量が可変設定される。輝度階調に対応して表示素子の表示応答速度の遅れを改善するためである。この補正回路６では記憶手段４に記憶された１つ前のフレームの上位ビットの映像信号ＳINの輝度階調レベルＬ１と現在フレームの上位ビットの映像信号ＳINの輝度階調レベルＬ２との差分がほぼ零の場合は、現在フレームの上位ビットの映像信号ＳINをそのまま出力するようになされる。
【００８３】
映像信号ＳINの特定の輝度階調レベル範囲に関しては、記憶手段４に記憶された１つ前のフレームの上位ビットの映像信号ＳINの輝度階調レベルＬ１に比較して現在フレームの上位ビットの映像信号ＳINの輝度階調レベルＬ２が低い場合は、現在フレームの上位ビットの映像信号ＳINの輝度階調レベルＬ２から補正値Ｌｒｉを差し引いた更に低い輝度階調の上位ビットの映像信号ＳINを出力するようになされる。
【００８４】
また、記憶手段４に記憶された１つ前のフレームの上位ビットの映像信号ＳINの輝度階調レベルＬ１に比較して現在フレームの上位ビットの映像信号ＳINの輝度階調レベルＬ２が高い場合は、現在フレームの上位ビットの映像信号ＳINの輝度階調レベルＬ２に補正値Ｌｒｉを加えた更に高い輝度階調レベルの上位ビットの映像信号ＳOUTを出力する。
【００８５】
この表示制御装置１０３では補正回路６に加算手段７が接続されており、補正演算後の現在フレームの上位ビットの映像信号ＳINに補正演算前の現在フレームの下位ビットの上位ビットの映像信号ＳINを加算して出力される。加算手段７には加算器が使用される。加算後の現在フレームの映像信号ＳOUTは表示駆動手段１１に出力される。表示駆動手段１１では補正後の輝度階調レベルＬ２ｉ’の映像信号ＳOUTに基づいて駆動電圧ＶOUTを発生し、この駆動電圧ＶOUTを映像表示手段１２に供給するようになされる。映像表示手段１２では、１フレーム毎に印加される駆動電圧ＶOUTに基づいて画像を表示するようになされる。
【００８６】
続いて、第３の実施例に係る画像表示装置２０３の動作例について説明をする。この実施例では、輝度階調に対応して表示応答速度が異なる映像表示手段１２を映像信号ＳINに基づいて表示制御する場合を前提とする。これを補正条件にして、当該表示制御装置１０３に映像信号ＳINが入力されると、映像表示手段１２の表示応答速度を改善するために補正回路６によって映像信号ＳINが補正される。
【００８７】
これに並行してノイズ検出手段６０によって映像信号ＳINからノイズが検出される。ここで検出されたノイズレベルＮＬは制御装置７０に出力される。制御装置７０ではノイズレベルＮＬに基づいて補正前の映像信号ＳIN又は補正回路６により得られた補正後の映像信号ＳOUTのいずれかを出力するようになされる。
【００８８】
補正回路６では、現在フレームの１つ前のフレームの上位ビットの映像信号ＳINの輝度階調レベルＬ１に比較して現在フレームの上位ビットの映像信号ＳINの輝度階調レベルＬ２が低い場合は、当該フレームの上位ビットの映像信号ＳINの輝度階調レベルＬ２から補正値Ｌｒｉを差し引いた更に低い輝度階調の上位ビットの映像信号ＳOUTを出力することができる。
【００８９】
また、１つ前のフレームの上位ビットの映像信号ＳINの輝度階調レベルＬ１に比較して現在フレームの上位ビットの映像信号ＳINの輝度階調レベルＬ２が高い場合は、当該フレームの上位ビットの映像信号ＳINの輝度階調レベルＬ２に補正値Ｌｒｉを加えた更に高い輝度階調の上位ビットの映像信号ＳOUTを出力することができる。
【００９０】
従って、映像信号中のノイズレベルＮＬが大きい場合やノイズ量が多い場合は補正前の映像信号ＳINをそのまま表示素子に出力することができ、輝度階調の急変時の表示素子の表示応答速度の遅れ性をフルに利用してノイズの影響を除くことができる。
【００９１】
また、映像信号中のノイズレベルＮＬが小さい場合やノイズ量が少ない場合は補正後の映像信号ＳOUTを表示素子に出力することができ、輝度階調の急変時の表示素子の表示応答速度の遅れ性を改善することができる。
【００９２】
これにより、映像表示手段１２に液晶表示パネルを用いた場合でも動きの早い映像信号ＳINに十分対処することが可能となる。しかも、輝度変化の激しい映像を入力した場合でも、その輝度変化、すなわち、液晶が印加電圧に追従できずに映像の輪郭がぼけてしまうような現象を防止できる。
【００９３】
（６）第４の実施例
図１１は本発明に係る第４の実施例としての表示制御装置１０４を応用した画像表示装置２０４の構成例を示すブロック図である。
この実施例では補正回路６と制御装置７０との間に第２の記憶手段５が接続され、もちろん、ノイズ検出手段６０及び制御装置７０を備えており、ノイズの程度により、補正回路６の補正値Ｌｒｉ又は動作の有無を制御することにより、ノイズの影響を少なくするようになされる。なお、第３の実施例と同じ符号及び同じ名称のものは同じ機能を有するためその説明を省略する。
【００９４】
図１１に示す画像表示装置２０４は表示制御装置１０４、表示駆動手段１１及び映像表示手段１２を有している。表示制御装置１０４は表示駆動手段１１の入出力を制御するものであり、第４の応答速度改善手段５４、ノイズ検出手段６０及び制御装置７０を有している。
【００９５】
応答速度改善手段５４は１フレーム毎に入力される映像信号ＳINを補正するために、第１の記憶手段４、第２の記憶手段５、補正回路６及び加算手段７を有している。記憶手段４には現在フレームの前のフレームの上位ビットの映像信号ＳINを記憶するようになされる。記憶手段４には第１の実施例に比べて少ないメモリ容量のＲＡＭが使用される。この例でも制御装置７０は読出し制御信号ＯＥに基づいて記憶手段５の読出し制御をするようになされる。
【００９６】
この表示制御装置１０４では補正回路６に記憶手段５が接続されており、記憶手段５では記憶手段４に記憶された１つ前のフレームの上位ビットの映像信号ＳINの輝度階調レベルＬ１と現在フレームの上位ビットの映像信号ＳINの輝度階調レベルＬ２との差分Ｌεに対応した補正値Ｌｒｉを記憶するようになされる。記憶手段５には第１の実施例に比べて少ないメモリ容量のＲＯＭが使用される。補正値Ｌｒｉは映像表示手段１２の種類に応じて予め最適値が求められ、この補正値Ｌｒｉが参照テーブル化されてＲＯＭ等の記憶手段５に格納される。
【００９７】
続いて、本発明に係る第４の実施例としての画像表示装置２０４の動作例を説明する。この実施例では、輝度階調に応じて表示応答速度が異なる映像表示手段１２を１フレーム毎に入力される上位ビットの映像信号ＳINに基づいて表示制御する場合を前提とする。
【００９８】
これを補正条件にして、当該表示制御装置１０４に映像信号ＳINが入力されると、上位ビットの映像信号ＳINが記憶手段４及び補正回路６に入力される。加算手段７には下位ビットの映像信号ＳINが入力される。表示制御装置１０４では映像表示手段１２の表示応答速度を改善するために応答速度改善手段５４によって映像信号ＳINが補正される。
【００９９】
これに並行してノイズ検出手段６０によって映像信号ＳINからノイズが検出される。ここで検出されたノイズレベルＮＬは制御装置７０に出力される。制御装置７０ではノイズレベルＮＬに基づいて補正前の映像信号ＳIN又は補正回路６により得られた補正後の映像信号ＳOUTのいずれかを出力するようになされる。
【０１００】
制御装置７０ではノイズレベルＮＬと予め設定された基準値とが比較される。そして、ノイズレベルＮＬが基準値を越える場合は、補正回路６から加算手段７へ補正前の上位ビットの映像信号ＳINを出力される。加算手段７では補正前の上位ビットの映像信号ＳINとその下位ビットの映像信号ＳINとが加算されるので、補正前の映像信号ＳINをそのまま出力することができる。
【０１０１】
これにより、補正前の映像信号ＳINに基づいて発生された駆動電圧ＶOUTを映像表示手段１２に供給するようになされる。従って、映像表示手段１２では、１フレーム毎に印加される駆動電圧ＶOUTに基づいて画像が表示される。このとき、輝度階調の急変時の表示素子の表示応答速度の遅れ性をフルに利用してノイズの影響を除くことができる。
【０１０２】
また、ノイズレベルＮＬが基準値に満たない場合は応答速度改善手段５４による補正後の映像信号ＳOUTを出力するようになされる。このとき、記憶手段５から補正回路６へ、１つ前のフレームの上位ビットの映像信号ＳINの輝度階調レベルＬ１と現在フレームの上位ビットの映像信号ＳINの輝度階調レベルＬ２との差分Ｌεに対応した補正値Ｌｒｉが読み出される。
【０１０３】
補正回路６では、現在フレームの１つ前のフレームの上位ビットの映像信号ＳINの輝度階調レベルＬ１に比較して現在フレームの上位ビットの映像信号ＳINの輝度階調レベルＬ２が低い場合は、当該フレームの上位ビットの映像信号ＳINの輝度階調レベルＬ２から補正値Ｌｒｉを差し引いた更に低い輝度階調の上位ビットの映像信号ＳOUTを出力することができる。
【０１０４】
また、１つ前のフレームの上位ビットの映像信号ＳINの輝度階調レベルＬ１に比較して現在フレームの上位ビットの映像信号ＳINの輝度階調レベルＬ２が高い場合は、当該フレームの上位ビットの映像信号ＳINの輝度階調レベルＬ２に補正値Ｌｒｉを加えた更に高い輝度階調の上位ビットの映像信号ＳOUTを出力することができる。
【０１０５】
従って、映像表示手段１２では、補正後の現在フレームの映像信号ＳINの輝度階調レベルＬ２’に基づいて映像表示手段１２が駆動される。このように、映像信号中のノイズレベルＮＬが小さい場合やノイズ量が少ない場合は輝度階調の急変時の表示素子の表示応答速度の遅れ性を改善することができる。
【０１０６】
これにより、映像表示手段１２に液晶表示パネルを用いた場合でも動きの早い映像信号ＳINに十分対処することが可能となる。また、輝度変化の激しい映像を入力した場合でも、その輝度変化、すなわち、液晶が印加電圧に追従できずに映像の輪郭がぼけてしまうような現象を防止できる（鮮鋭度改善機能）。
【０１０７】
（７）第５の実施例
図１２は本発明に係る第５の実施例としての表示制御装置１０５を応用した画像表示装置２０５の構成例を示すブロック図である。
この実施例では、輝度階調レベルに応じて表示応答速度が異なる映像表示手段１２を１フレーム毎に入力される映像信号ＳINに基づいて表示制御する場合に、第１〜第４の実施例で説明した補正回路３、６等に代えて、補正値ルックアップテーブル等の読み出し専用の記憶手段８を備えている。
【０１０８】
この例では、現在フレームの１つ前のフレームの映像信号ＳIN’の輝度階調レベルＬ１と、現在フレームの映像信号ＳINの輝度階調レベルＬ２とをアドレスにして補正後の輝度階調の映像信号ＳOUTを読み出すようにして、輝度変化の激しい映像を入力した場合でも、演算制御系の負担をより一層軽減できるようにしたものである。
【０１０９】
しかも、ノイズ検出手段６０、制御装置７０及び選択手段８０を備えており、映像信号中のノイズレベルＮＬに基づいて記憶手段８の読出しを制御し、補正前の映像信号ＳIN又は表示応答速度補正後の映像信号ＳOUTのいずれかを選択するようにしたものである。なお、第１の実施例と同じ符号及び同じ名称のものは同じ機能を有するためその説明を省略する。
【０１１０】
図１２に示す画像表示装置２０５は映像信号ＳINの輝度階調に応じて表示応答速度が異なる映像表示手段１２を１フレーム毎に入力される映像信号ＳINに基づいて表示制御する装置である。画像表示装置２０５は表示制御装置１０５、表示駆動手段１１及び映像表示手段１２を有している。
【０１１１】
この表示制御装置１０５は表示駆動手段１１の入出力を制御するために、第５の応答速度改善手段５５、ノイズ検出手段６０、制御装置７０及び選択手段８０を備えている。応答速度改善手段５５は第１の記憶手段１及び第２の記憶手段８から構成されており、記憶手段１には第１の実施例と同様にして現在フレームの１つ前のフレームの映像信号ＳIN’を記憶するようになされる。
【０１１２】
また、記憶手段１には記憶手段８が接続されており、予め補正演算して得た補正済みの最適な輝度階調レベルの映像信号（データ）が格納される。記憶手段８にはＲＯＭが使用される。現在フレームの１つ前のフレームの映像信号ＳIN’の輝度階調レベルＬ１と、現在フレームの映像信号ＳINの輝度階調レベルＬ２とをアドレスにして補正後の輝度階調の映像信号ＳOUTを読み出すためである。
【０１１３】
この応答速度改善手段５５には選択手段８０が接続されており、補正前の映像信号ＳIN又は記憶手段８により得られる補正後の映像信号ＳOUTのいずれかを選択するようになされる。制御装置７０では例えばノイズ検出手段６０により検出されたノイズレベルＮＬと予め設定された基準値とを比較するようになされる。基準値は外部制御信号ＣＴＬによって設定される。
【０１１４】
この制御装置７０は例えば、ノイズレベルＮＬが基準値を越える場合は、補正前の映像信号ＳINを選択し、ノイズレベルＮＬが基準値に満たない場合は応答速度改善手段５５による補正後の映像信号ＳOUTを選択するように選択手段８０を制御する。制御装置７０は選択手段８０に選択制御信号Ｓｃを出力して補正前の映像信号ＳINを選択するようになされる。この選択手段８０には表示駆動手段１１が接続されており、映像表示手段１２に印加電圧を供給するようになされる。
【０１１５】
この例では映像表示手段１２に対応して予め補正値Ｌｒｉが求められ、更に、この補正値Ｌｒｉを使用し、第１の実施例で説明した式（２）により当該フレームの補正後の０階調からｎ階調に至る全範囲の輝度階調レベルＬ２’の映像信号ＳOUTが演算される。この演算は映像表示手段１２を作製する毎にその映像表示手段１２の表示特性に合わせて行われる。従って、映像表示手段１２と補正値を格納した記憶手段８とはセットで取引されることが好ましい。もちろん、これらをセットで取引することを限定するものではない。
【０１１６】
図１３は記憶手段８に格納される補正後の輝度階調レベルＬ２ｉ’の映像信号ＳOUTの内容例を示すイメージ図である。当該フレームの補正後の映像信号ＳOUTについては０階調からｎ階調に至る全範囲の輝度階調レベルＬ２ｉ’が求められる。
【０１１７】
図１３に示す補正後の輝度階調レベルＬ２ｉ’の映像信号ＳOUTの内容例によれば、横軸には現在フレームの１つ前のフレームの映像信号ＳIN’の輝度階調レベルＬ１１〜Ｌ１ｎ（ｎ：階調）がプロットされており、縦軸には現在フレームの映像信号ＳINの輝度階調レベルＬ２１〜Ｌ２ｎ（ｎ：階調）がプロットされる。この縦横の輝度階調レベルＬ１１〜Ｌ１ｎ及び輝度階調レベルＬ２１〜Ｌ２ｎが作るマトリクスの各格子部分に、０階調からｎ階調に至る全範囲の輝度階調レベルＬ２’の映像信号ＳOUTを記憶するようになされる。
【０１１８】
図１３において、左上部０階調から右下部ｎ階調へ下がる対角線Ａａ０上の格子部分には、現在フレームの０階調からｎ階調に至る映像信号ＳINをそのまま記憶するようになされる。これは現在フレームの１つ前のフレームの映像信号ＳIN’の輝度階調レベルＬ１ｉと現在フレームの映像信号ＳINの輝度階調レベルＬ２ｉとの差分がほぼ零の場合に対処するためである。
【０１１９】
この対角線Ａａ０の格子部分を基準にして映像信号ＳINの特定の輝度階調範囲の一例となる右上領域Ａａ１の格子部分では、Ｌ２ｉ’＝Ｌ２ｉ−Ｌｒｉによって演算された０階調からｎ階調に至る全範囲の輝度階調レベルＬ２ｉ’の映像信号ＳOUTを記憶するようになされる。これは現在フレームの１つ前のフレームの映像信号ＳIN’の輝度階調レベルＬ１ｉに比較して現在フレームの映像信号ＳINの輝度階調レベルＬ２ｉが低い場合に対処するためである。これにより、左領域Ａａ１では現在フレームの映像信号ＳINよりも、低い輝度階調レベルの映像信号ＳOUTを出力するようになされる。
【０１２０】
また、対角線Ａａ０の格子部分を基準にして左下領域Ａａ２の格子部分では、Ｌ２ｉ’＝Ｌ２ｉ＋Ｌｒｉによって演算された０階調からｎ階調に至る全範囲の輝度階調レベルＬ２ｉ’の映像信号ＳOUTを記憶するようになされる。これは現在フレームの１つ前のフレームの映像信号ＳIN’の輝度階調レベルＬ１ｉに比較して現在フレームの映像信号ＳINの輝度階調レベルＬ２ｉが高い場合に対処するためである。これにより、左領域Ａａ２では現在フレームの映像信号ＳINよりも、高い輝度階調レベルの映像信号ＳOUTを出力するようになされる。
【０１２１】
続いて、画像表示装置２０５の動作例について説明をする。図１４は記憶手段８における補正後の輝度階調レベルＬ２ｉ’の映像信号ＳOUTの読出し例を示すイメージ図である。図１５は画像表示装置２０５の動作例を示すフローチャートである。
【０１２２】
この実施例では輝度階調に応じて表示応答速度が異なる映像表示手段１２を１フレーム毎に入力される映像信号ＳINに基づいて表示制御する場合を前提とする。また、映像信号中のノイズのレベルに基づいて記憶手段８の読出しを制御し、補正前の映像信号ＳIN又は表示応答速度補正後の映像信号ＳOUTのいずれかを選択する場合を例に採る。
【０１２３】
この画像表示装置２０５では図１２に示した記憶手段８に図１３に示したような補正後の輝度階調レベルＬ２ｉ’の映像信号ＳOUTが格納されており、現在フレームの１つ前のフレームの映像信号ＳIN’の輝度階調レベルＬ１と、現在フレームの映像信号ＳINの輝度階調レベルＬ２とをアドレスにして補正後の輝度階調の映像信号ＳOUTを読み出す場合を想定する。
【０１２４】
これを補正条件にして、図１５に示すフローチャートのステップＣ１で映像信号ＳINを記憶手段１及び記憶手段８に入力する。その後、ステップＣ２〜ステップＣ４で映像表示手段１２の表示応答速度を改善するために応答速度改善手段５５によって映像信号ＳINが補正される。
【０１２５】
この例ではステップＣ２に移行して現在フレームの１つ前のフレームの映像信号ＳIN’の輝度階調レベルＬ１と、現在フレームの映像信号ＳINの輝度階調レベルＬ２とをアドレスにして補正後の輝度階調の映像信号ＳOUTを読み出す。例えば、図１４に示す現在フレームの前のフレームの映像信号ＳINの輝度階調レベルをＬ１ｉとし、現在フレームの映像信号ＳINの輝度階調レベルをＬ２２（Ｌ２２＜Ｌ１ｉ）とした場合に、当該フレームの映像信号ＳOUTはＬ２ｉ’＝Ｌ２２−Ｌｒｉによって演算された輝度階調レベルの補正後の映像信号ＳOUTを出力するようになされる（右上領域参照）。
【０１２６】
また、図１４に示す現在フレームの前のフレームの映像信号ＳINの輝度階調レベルをＬ１ｉとし、現在フレームの映像信号ＳINの輝度階調レベルをＬ２ｎ−２（Ｌ２ｎ−２＞Ｌ１ｉ）とした場合に、当該フレームの映像信号ＳOUTはＬ２ｉ’＝（Ｌ２ｎ−２）−Ｌｒｉによって演算された輝度階調レベルの補正後の映像信号ＳOUTを出力するようになされる（左下領域参照）。
【０１２７】
これに並行してステップＣ３でノイズ検出手段６０によって映像信号ＳINからノイズが検出される。ここで検出されたノイズレベルＮＬは制御装置７０に出力される。制御装置７０ではステップＣ４でノイズレベルＮＬと予め設定された基準値とが比較される。そして、ノイズレベルＮＬが基準値を越える場合は、ステップＣ５で制御装置７０は選択手段８０に選択制御信号Ｓｃを出力して補正前の映像信号ＳINを選択するようになされる。選択手段８０は選択制御信号Ｓｃに基づいて補正前の映像信号ＳINを選択するのでこの映像信号ＳINがそのまま出力される。
【０１２８】
これにより、ノイズレベルＮＬが基準値を越える場合は、ステップＣ７で補正前の映像信号ＳINに基づいて発生された駆動電圧ＶOUTを映像表示手段１２に供給するようになされる。従って、ステップＣ８で映像表示手段１２では、１フレーム毎に印加される駆動電圧ＶOUTに基づいて画像が表示される。このとき、輝度階調の急変時の表示素子の表示応答速度の遅れ性をフルに利用してノイズの影響を除くことができる。
【０１２９】
また、ノイズレベルＮＬが基準値に満たない場合はステップＣ６で応答速度改善手段５５による補正後の映像信号ＳOUTを選択するようになされる。このとき、制御装置７０は選択手段８０に選択制御信号Ｓｃを出力して補正後の映像信号ＳOUTを選択するようになされる。選択手段８０は選択制御信号Ｓｃに基づいて補正後の映像信号ＳOUTを選択するので、ステップＣ７で補正後の映像信号ＳOUTに基づいて発生された駆動電圧ＶOUTを映像表示手段１２に供給するようになされる。
【０１３０】
従って、ステップＣ８で映像表示手段１２では補正後の現在フレームの映像信号ＳINの輝度階調レベルＬ２’に基づいて映像表示手段１２が駆動される。ステップＣ９では電源オフ情報などを検出して画像表示処理を終了する。電源オフ情報等が検出されない場合はステップＣ１に戻って上述した画像表示処理が継続される。これにより、映像信号中のノイズレベルＮＬが小さい場合やノイズ量が少ない場合は輝度階調の急変時の表示素子の表示応答速度の遅れ性を改善することができる。
【０１３１】
また、この実施例によれば、現在フレームの１つ前のフレームの映像信号ＳIN’の輝度階調レベルＬ１ｉに比較して現在フレームの映像信号ＳINの輝度階調レベルＬ２ｉが低い場合は、当該フレームの映像信号ＳINの輝度階調レベルＬ２ｉから補正値Ｌｒｉを差し引いた更に低い輝度階調レベルの映像信号ＳOUTを直接、記憶手段８から表示駆動手段１１へ出力することができる。
【０１３２】
また、１つ前のフレームの映像信号ＳIN’の輝度階調レベルＬ１ｉに比較して現在フレームの映像信号ＳINの輝度階調レベルＬ２ｉが高い場合は、当該フレームの映像信号ＳINの輝度階調レベルＬ２ｉに補正値Ｌｒｉを加えた更に高い輝度階調の映像信号ＳOUTを直接、記憶手段８から表示駆動手段１１へ出力することができる。
【０１３３】
これにより、第１〜第４の実施例のような補正回路３、６に依存することなく、映像表示手段１２に液晶表示パネルを用いた場合でも動きの早い映像信号ＳINに十分対処することが可能となる。しかも、輝度変化の激しい映像を入力した場合でも、演算制御系の負担を軽減することができる。また、液晶が印加電圧に追従できずに映像の輪郭がぼけてしまうような現象も防止できる（鮮鋭度改善機能）。第１〜第４の画像表示装置２０１〜２０４に比べて安価に液晶テレビなどを構成できる。
【０１３４】
（８）第６の実施例
図１６は本発明に係る第６の実施例としての表示制御装置１０６を応用した画像表示装置２０６の構成例を示すブロック図である。
この実施例では映像信号ＳINを上位ビットと下位ビットに分け、その上位ビットのみに補正を加えた補正後の０階調からｎ階調に至る全範囲の輝度階調レベルＬ２ｉ’の映像信号ＳOUTが求められ、この映像信号ＳOUTが補正値ルックアップテーブル等の読み出し専用の記憶手段９に格納されている。
【０１３５】
この実施例では、現在フレームの１つ前のフレームの上位ビットの映像信号ＳINの輝度階調レベルＬ１ｉと、現在フレームの上位ビットの映像信号ＳINの輝度階調レベルＬ２ｉとをアドレスにして補正後の輝度階調の映像信号ＳOUTを読み出すようになされる。
【０１３６】
しかも、ノイズ検出手段６０、制御装置７０及び選択手段８０を備えており、映像信号中のノイズレベルＮＬに基づいて記憶手段９の読出しを制御し、補正前の映像信号ＳIN又は表示応答速度補正後の映像信号ＳOUTのいずれかを選択するようにしたものである。なお、第１〜第５の実施例と同じ符号及び同じ名称のものは同じ機能を有するためその説明を省略する。
【０１３７】
図１６に示す画像表示装置２０６は映像信号ＳINの輝度階調に応じて表示応答速度が異なる映像表示手段１２を１フレーム毎に入力される映像信号ＳINに基づいて表示制御する装置である。画像表示装置２０６は表示制御装置１０６、表示駆動手段１１及び映像表示手段１２を有している。表示制御装置１０６は表示駆動手段１１の入出力を制御するために、第６の応答速度改善手段５６、ノイズ検出手段６０、制御装置７０及び選択手段８０を備えている。
【０１３８】
応答速度改善手段５６は第１の記憶手段４及び第２の記憶手段９から構成されており、記憶手段４には第１の実施例と同様にして現在フレームの１つ前のフレームの映像信号ＳIN’を記憶するようになされる。記憶手段４にはＲＡＭ等が使用される。
【０１３９】
また、記憶手段４には記憶手段９が接続されており、予め補正演算して得た補正済みの最適な輝度階調レベルの上位ビットの映像信号（データ）が格納される。記憶手段９にはＲＯＭが使用される。現在フレームの１つ前のフレームの上位ビットの映像信号ＳINの輝度階調レベルＬ１と、現在フレームの上位ビットの映像信号ＳINの輝度階調レベルＬ２とをアドレスにして補正後の輝度階調の上位ビットの映像信号ＳOUTを読み出すためである。
【０１４０】
この応答速度改善手段５６には選択手段８０が接続されており、補正前の映像信号ＳIN又は記憶手段９により得られる補正後の上位ビットの映像信号ＳOUTのいずれかを選択するようになされる。制御装置７０では例えばノイズ検出手段６０により検出されたノイズレベルＮＬと予め設定された基準値とを比較するようになされる。基準値は外部制御信号ＣＴＬによって設定される。
【０１４１】
この制御装置７０は例えば、ノイズレベルＮＬが基準値を越える場合は、補正前の映像信号ＳINを選択し、ノイズレベルＮＬが基準値に満たない場合は応答速度改善手段５５による補正後の映像信号ＳOUTを選択するように選択手段８０を制御する。制御装置７０は選択手段８０に選択制御信号Ｓｃを出力して補正前の映像信号ＳINを選択するようになされる。この選択手段８０には表示駆動手段１１が接続されており、映像表示手段１２に印加電圧を供給するようになされる。
【０１４２】
この記憶手段４には読み出し専用の第２の記憶手段９が接続されている。記憶手段９の格納内容によれば、図１３に示した左上部０階調から右下部ｎ階調へ下がる対角線上の格子部分には、現在フレームの０階調からｎ階調に至る上位ビットの映像信号ＳINをそのまま記憶するようになされる。図１３に示した右上領域の格子部分では、Ｌ２ｉ’＝Ｌ２ｉ−Ｌｒｉによって演算された０階調からｎ階調に至る全範囲の輝度階調レベルＬ２ｉ’の上位ビットの映像信号ＳOUTを記憶するようになされる。
【０１４３】
図１３に示した左下領域の格子部分でＬ２ｉ’＝Ｌ２ｉ＋Ｌｒｉによって演算された０階調からｎ階調に至る全範囲の輝度階調レベルＬ２ｉ’の上位ビットの映像信号ＳOUTを記憶手段９に格納するようになされる。これにより、記憶手段４に記憶された現在フレームの１つ前のフレームの上位ビットの映像信号ＳINの輝度階調レベルＬ１ｉと、現在フレームの上位ビットの映像信号ＳINの輝度階調レベルＬ２ｉとをアドレスにして記憶手段９から、当該フレームの補正後の輝度階調の上位ビットの映像信号ＳOUTを読み出すことができる。
【０１４４】
この表示制御装置１０６では図１６に示す記憶手段９に加算手段７が接続されており、補正演算後の現在フレームの上位ビットの映像信号ＳOUTに補正演算前の現在フレームの下位ビットの映像信号ＳOUTを加算して出力される。加算後の現在フレームの映像信号ＳOUTは選択手段８０に出力される。
【０１４５】
これに並行してノイズ検出手段６０によって映像信号ＳINからノイズが検出される。ここで検出されたノイズレベルＮＬは制御装置７０に出力される。制御装置７０ではノイズレベルＮＬと予め設定された基準値とが比較される。そして、ノイズレベルＮＬが基準値を越える場合は、制御装置７０は選択手段８０に選択制御信号Ｓｃを出力して補正前の映像信号ＳINを選択するようになされる。選択手段８０は選択制御信号Ｓｃに基づいて補正前の映像信号ＳINを選択するのでこの映像信号ＳINがそのまま出力される。
【０１４６】
これにより、ノイズレベルＮＬが基準値を越える場合は補正前の映像信号ＳINに基づいて発生された駆動電圧ＶOUTを映像表示手段１２に供給することができる。従って、映像表示手段１２では、１フレーム毎に印加される駆動電圧ＶOUTに基づいて画像が表示される。このとき、輝度階調の急変時の表示素子の表示応答速度の遅れ性をフルに利用してノイズの影響を除くことができる。
【０１４７】
また、ノイズレベルＮＬが基準値に満たない場合は応答速度改善手段５６による補正後の映像信号ＳOUTを選択するようになされる。このとき、制御装置７０は選択手段８０に選択制御信号Ｓｃを出力して補正後の映像信号ＳOUTを選択するようになされる。選択手段８０は選択制御信号Ｓｃに基づいて補正後の映像信号ＳOUTを選択するので、補正後の映像信号ＳOUTに基づいて発生された駆動電圧ＶOUTを映像表示手段１２に供給するようになされる。映像表示手段１２では補正後の現在フレームの映像信号ＳINの輝度階調レベルＬ２’に基づいて映像表示手段１２が駆動される。
【０１４８】
従って、映像表示手段１２に液晶表示パネルを用いた場合でも、第５の実施例と同様にして動きの早い映像信号ＳINに十分対処することが可能となる。しかも、輝度変化の激しい映像を入力した場合でも、演算制御系に負担をかけることなく、その輝度変化、すなわち、液晶が印加電圧に追従できずに映像の輪郭がぼけてしまうような現象を防止できる。第５の実施例に比べて記憶手段４や記憶手段９のメモリ容量を減らすことができる。
【０１４９】
（９）応用例
図１７は本発明に係る応用例としての液晶テレビ３００の構成例を示すブロック図である。
この応用例では画像表示装置の一例となる液晶テレビ３００を構成し、図１７に示す表示制御手段１０には第１〜第６の実施例で説明した表示制御装置１０１〜１０６のいずれかが適用される。この例で表示制御手段１０には第５の実施例で説明した表示制御装置１０５が適用され、補正値ルックアップテーブル用のＲＯＭ３３が設けられる。
【０１５０】
このＲＯＭ３３には、当該フレームの補正後の映像データＤOUTに関して０階調からｎ＝２４８階調に至る全範囲の輝度階調レベルＬ２ｉ’が求められ、これらが格納されている。そして、現在フレームの１つ前のフレームの映像信号ＳIN’の輝度階調レベルＬ１ｉと、現在フレームの映像信号ＳINの輝度階調レベルＬ２ｉとをアドレスにして補正後の輝度階調の映像信号ＳOUTを読み出すようにして、輝度変化の激しい映像を入力した場合でも、演算制御系の負担をより一層軽減できるようにしたものである。
【０１５１】
図１７に示す液晶テレビ３００は例えばアナログ地上波の放送電波を受信して放送番組を液晶表示パネル２６に表示するものである。液晶テレビ３００はアンテナ２１を有しており、八木アンテナ２１等から放送電波を受信するようになされる。アンテナ２１にはチューナー＆ＩＦアンプ２２が接続されており、ＮＴＳＣ方式の放送電波を信号処理してＲ（赤），Ｇ（緑），Ｂ（青）の映像信号ＳIN及び音声信号を検出するようになされる。チューナー＆ＩＦアンプ２２の一方には音声増幅回路２３が接続されており、音声信号が増幅されてスピーカー２５に出力される。
【０１５２】
チューナー＆ＩＦアンプ２２の他方には映像増幅回路２４が接続されており、Ｒ，Ｇ，Ｂの映像信号（以下で単に映像信号ＳINという）が増幅されると共に、同期信号ＳＹが分離される。映像増幅回路２４に表示制御手段１０及び表示駆動手段１１が接続されている。表示制御手段１０はアナログ・デジタル変換器（以下でＡ／Ｄ変換器３１という）、フレームメモリ３２、ＲＯＭ３３、ＣＰＵ３４、ノイズ検出手段６０及び選択手段の一例となるセレクタ８０が設けられている。
【０１５３】
Ａ／Ｄ変換器３１は映像増幅回路２４に接続されており、映像信号ＳINをアナログ・デジタル変換してＲ，Ｇ，Ｂの映像データＤINを出力するようになされる。Ａ／Ｄ変換器３１には第１の記憶手段の一例となるフレームメモリ３２が接続されており、現在フレームの１つ前のフレームの映像データＤINが記憶される。
【０１５４】
このＡ／Ｄ変換器３１及びフレームメモリ３２には第２の記憶手段の一例となる補正値ルックアップテーブル用のＲＯＭ３３が接続されており、このフレームメモリ３２に記憶された現在フレームの前のフレームの映像データＤINの輝度階調レベルＬ１ｉと、現在フレームの映像データＤINの輝度階調レベルＬ２ｉとをアドレスにしてＲＯＭ３３から、当該フレームの補正後の輝度階調レベルの映像データＤOUTを読み出して出力するようになされる。
【０１５５】
このＲＯＭ３３のルックアップテーブルには、輝度階調レベルＬ２ｉの変化毎に本来、液晶表示パネル２６でぼけのないような表示を実行したいとする、最適な輝度階調レベルＬ２ｉ’に近い輝度階調レベルを得られるように補正された映像データＤOUTが格納されていればよい。
【０１５６】
このＡ／Ｄ変換器３１にはフレームメモリ３２の他にノイズ検出手段６０が接続されており、映像信号ＳINからノイズレベルＮＬが検出される。もちろん、映像信号ＳINからノイズ量を検出するようにしてもよい。
【０１５７】
このノイズ検出手段６０には制御装置の一例となるＣＰＵ３４が接続されており、外部制御信号の一例となる水平同期信号ＨＳ及び垂直同期信号ＶＳと、ノイズレベルＮＬとに基づいて補正前の映像信号ＳIN又はＲＯＭ３３から読み出される補正後の映像信号ＳOUTのいずれかを選択するようになされる。
【０１５８】
ＣＰＵ３４では水平同期信号ＨＳ及び垂直同期信号ＶＳに基づいて書込み読出し制御信号ＷＥや読出し許可信号ＯＥを生成し、この書込み読出し制御信号ＷＥをフレームメモリ３２に出力し、現在フレームの１つ前のフレームの映像データＤINの書込みや読出しを制御したり、ＲＯＭ３３に読出し許可信号ＯＥを出力して、現在フレームの映像データＤINの取り込みタイミングや、補正後の１フレームの映像データＤOUTの読出しタイミングなどを制御するようになされる。この例では、ＣＰＵ３４における補正演算を省略することができる。
【０１５９】
このＲＯＭ３３にはセレクタ８０が接続されており、補正前の映像信号ＳIN又はＲＯＭ３３から読み出される補正後の映像信号ＳOUTのいずれかを選択するようになされる。このＣＰＵ３４では例えばノイズ検出手段６０により検出されたノイズレベルＮＬと予め設定された基準値とを比較するようになされる。
【０１６０】
基準値は外部制御信号ＣＴＬによって設定される。ＣＰＵ３４は例えば、ノイズレベルＮＬが基準値を越える場合は、補正前の映像信号ＳINを選択し、ノイズレベルＮＬが基準値に満たない場合は表示応答速度補正回路による補正後の映像信号ＳOUTを選択するようにセレクタ８０を制御する。
【０１６１】
また、上述の映像増幅回路２４には表示駆動手段１１が接続されている。表示駆動手段１１は水平同期回路４１、垂直同期回路４２、走査電極駆動回路４３及び信号電極駆動回路４４を有している。走査電極駆動回路４３及び信号電極駆動回路４４には映像表示手段の一例となるアクティブマトリクス型の液晶表示パネル２６が接続されている。
【０１６２】
この映像増幅回路２４の一方には水平同期回路４１が接続されており、同期信号ＳＹから水平同期信号ＨＳが検出される。映像増幅回路２４の他方には垂直同期回路４２が接続されており、同期信号ＳＹから垂直同期信号ＶＳが検出される。水平同期信号ＨＳ及び垂直同期信号ＶＳはＣＰＵ３４に出力されると共に、水平同期信号ＨＳは走査電極駆動回路４３に出力され、垂直同期信号ＶＳは信号電極駆動回路４４に出力される。
【０１６３】
水平同期回路４１には走査電極駆動回路４３が接続されており、水平同期信号ＨＳに基づいて液晶表示パネル２６を線順次走査するようになされる。走査電極駆動回路４３にはプラズマ駆動ドライバＩＣなどが使用される。垂直同期回路４２には信号電極駆動回路４４が接続されており、垂直同期信号ＶＳ及び補正後の映像データＤOUTに基づいて駆動電圧が生成され、この駆動電圧が液晶表示パネル２６に供給するようになされる。
【０１６４】
この信号電極駆動回路４４にはプラズマ駆動カラム反転対応のデータドライバＩＣが使用される。液晶表示パネル２６の背面にはバックライト２７が取り付けられている。もちろん、液晶テレビ３００には電源部２８が設けられ、バックライト２７や各機能回路に電源を供給するようになされる。
【０１６５】
続いて、ＲＯＭ３３の内容例について説明をする。図１８はＲＯＭ３３に格納される補正後の輝度階調レベルＬ２ｉ’の映像データＤOUTの内容例を示すイメージ図であり、図１９は図１８に示した映像データＤOUTの補正値Ｌｒｉを同等レベル毎に色分け表示したイメージ図である。
【０１６６】
この例のＲＯＭ３３には８階調を１単位として、０〜２４８階調の補正後の輝度階調レベルＬ２ｉ’の映像データＤOUTが格納され、その内容例によれば図１８に示す横軸には１フレーム前の輝度階調レベルＬ１ｉとして、ｉ＝０〜２４８階調の映像データＤINがプロットされ、縦軸には現在フレームの輝度階調レベルＬ２ｉとして、ｉ＝０〜２４８階調の映像データＤINがプロットされる。この縦横の１フレーム前の映像データＤIN及び現在フレームの映像データＤINが作るマトリクスの各格子部分に、０階調から２４８階調に至る全範囲の輝度階調レベルＬ２ｉ’の映像データＤOUTを記憶するようになされる。
【０１６７】
この内容例で左上部０階調から右下部２４８階調へ下がる対角線Ａａ０上の格子部分には、現在フレームの０階調から２４８階調に至る、０，８，１６，２４，３２，４０・・・・２４０，２４８階調の映像データＤINをそのまま記憶するようになされる。これは１フレーム前の映像データＤINの輝度階調レベルＬ１ｉと現在フレームの映像データＤINの輝度階調レベルＬ２ｉとの差分がほぼ零の場合に対処するためである。
【０１６８】
この対角線Ａａ０の格子部分を基準にして映像データＤINの右上領域Ａａ１の格子部分では、Ｌ２ｉ’＝Ｌ２ｉ−Ｌｒｉによって演算された０階調から２４８階調に至る全範囲の輝度階調レベルＬ２ｉ’の映像データＤINＤOUTを記憶するようになされる。これは１フレーム前の映像データＤINの輝度階調レベルＬ１ｉに比較して現在フレームの映像データＤINの輝度階調レベルＬ２ｉが低い場合に対処するためである。この右上領域Ａａ１では現在フレームの映像データＤINよりも、更に低い輝度階調レベルＬ２ｉ’の映像データＤOUTを出力するようになされる。
【０１６９】
また、対角線Ａａ０の格子部分を基準にして左下領域Ａａ２の格子部分では、Ｌ２ｉ’＝Ｌ２ｉ＋Ｌｒｉによって演算された０階調から２４８階調に至る全範囲の輝度階調レベルＬ２ｉ’の映像データＤOUTを記憶するようになされる。これは１フレーム前の映像データＤINの輝度階調レベルｉに比較して現在フレームの映像データＤINの輝度階調レベルＬ２ｉが高い場合に対処するためである。この左下領域Ａａ２では現在フレームの映像データＤINよりも、更に高い輝度階調レベルＬ２ｉ’の映像データＤOUTを出力するようになされる。
【０１７０】
上述の右上領域Ａａ１及び左下領域Ａａ２における補正値Ｌｒｉについては、液晶表示パネル２６の表示特性にもよるが、８，１６，２４，３２，４０、４８，５６，６４階調を適用している。この例では特に中間階調において、上位階調レベルから下位階調レベルに輝度階調レベルを下げる場合であって、この下げ幅が大きいほど大きな補正値が適用される。
【０１７１】
例えば、１フレーム前の映像データＤINの輝度階調レベルＬ１がｉ＝「７２」で、現在フレームの映像データＤINの輝度階調レベルＬ２がｉ＝「８８」の場合は補正後の現在フレームの映像データＤINとしてｉ＝「９６」の輝度階調レベルＬ２’が読み出される。この際の補正値Ｌｒｉは＋８である。
【０１７２】
同様にして、Ｌ１＝「７２」で、Ｌ２＝「１０４」の場合はＬ２’＝「１２８」が読み出される。この際の補正値Ｌｒｉは＋２４である。Ｌ１＝「７２」で、Ｌ２＝「１２０」の場合はＬ２’＝「１５２」が読み出される。この際の補正値Ｌｒｉは＋３２である。Ｌ１＝「７２」で、Ｌ２＝「１２８」の場合はＬ２’＝「１６８」が読み出される。この際の補正値Ｌｒｉは＋４０である。いずれの場合も、液晶表示パネル２６で中間階調における上位階調レベルから下位階調レベルに輝度階調レベルを下げる場合の応答時間の遅れを改善するためである。
【０１７３】
また、下位階調レベルから上位階調レベルに輝度階調レベルを上げる場合であって、この上げ幅が大きいほど大きな補正値が適用される。例えば、１フレーム前の映像データＤINの輝度階調レベルＬ１がｉ＝「１６０」で、現在フレームの映像データＤINの輝度階調レベルＬ２がｉ＝「７２」の場合は補正後の現在フレームの映像データＤINとしてｉ＝「８」の輝度階調レベルＬ２’が読み出される。この際の補正値Ｌｒｉは−６４である。
【０１７４】
同様にして、Ｌ１＝「１６０」で、Ｌ２＝「８０」の場合はＬ２’＝「２４」が読み出される。この際の補正値Ｌｒｉは−５６である。Ｌ１＝「１６０」で、Ｌ２＝「９６」の場合はＬ２’＝「４８」が読み出される。この際の補正値Ｌｒｉは−４８である。Ｌ１＝「１６０」で、Ｌ２＝「１０４」の場合はＬ２’＝「６４」が読み出される。この際の補正値Ｌｒｉは−４０である。
【０１７５】
Ｌ１＝「１６０」で、Ｌ２＝「１２０」の場合はＬ２’＝「８８」が読み出される。この際の補正値Ｌｒｉは−３２である。Ｌ１＝「１６０」で、Ｌ２＝「１３６」の場合はＬ２’＝「１１２」が読み出される。この際の補正値Ｌｒｉは−２４である。Ｌ１＝「１６０」で、Ｌ２＝「１４４」の場合はＬ２’＝「１２８」が読み出される。この際の補正値Ｌｒｉは−１６である。
【０１７６】
いずれの場合も、液晶表示パネル２６で中間階調における下位階調レベルから上位階調レベルに輝度階調レベルを上げる場合の応答時間の遅れを改善するためである。
【０１７７】
なお、図２０はＲＯＭ３３におけるＬ１ｉ、Ｌ２ｉ及びＬｒｉの関係例を示す３次元参照テーブルのイメージ図である。３次元参照テーブルを見る角度を変えているので、図１８に示した参照テーブルの値と必ずしも一致してない。図２０において、Ｌ１ｉは１フレーム前の映像データＤINの０〜２４８の輝度階調レベルであり、Ｌ２ｉは現在フレームの映像データＤINの０〜２４８の輝度階調レベルであり、Ｌｒｉはその際の補正値０〜６４階調である。
【０１７８】
つまり、液晶表示パネル２６上で１フレーム前の映像データＤINに対して次のフレームの映像データＤINを輝度階調レベルＬ２ｉまで早く変化させられるような現在フレームの映像データＤOUTを用意する。もしくは液晶表示パネル２６の特性上で変化させたい輝度階調レベルＬ２ｉに近くに、その表示応答速度がより早い輝度階調レベルＬ２ｉが存在するような場合は、その輝度階調レベルＬ２ｉに変化するような補正後の映像データＤOUTを用意する。
【０１７９】
続いて、液晶テレビ３００の動作例について説明をする。この例では図１７に示した液晶テレビ３００において、図１８で説明した補正後の映像データＤOUTがＲＯＭ３３に格納されており、ＮＴＳＣ方式の放送番組を液晶表示パネル２６に表示する場合を前提とする。もちろん、液晶表示パネル２６の背面のバックライト２７に電源が供給されると共に、各機能回路に電源が供給されている。
【０１８０】
これを動作条件にして、図１７に示したアンテナ２１により、アナログ地上波の放送電波が受信されると、ＮＴＳＣ方式の放送電波がアンテナ２１からチューナー＆ＩＦアンプ２２に出力される。チューナー＆ＩＦアンプ２２では放送電波を信号処理して音声信号及びＲ，Ｇ，Ｂの映像信号ＳINが検出される。音声信号は音声増幅回路２３で増幅されてスピーカー２５に出力される。
【０１８１】
Ｒ，Ｇ，Ｂの映像信号（映像信号ＳIN）は映像増幅回路２４で増幅されると共に同期信号ＳＹが分離される。水平同期回路４１では同期信号ＳＹから水平同期信号ＨＳが検出され、垂直同期回路４２では同期信号ＳＹから垂直同期信号ＶＳが検出される。水平同期信号ＨＳ及び垂直同期信号ＶＳはＣＰＵ３４に出力されると共に、水平同期信号ＨＳは走査電極駆動回路４３に出力され、垂直同期信号ＶＳは信号電極駆動回路４４に出力される。
【０１８２】
映像信号ＳINは映像増幅回路２４で増幅された後にＡ／Ｄ変換器３１でアナログ・デジタル変換され、Ｒ，Ｇ，Ｂの映像データＤINとなされる。現在フレームの１つ前のフレームの映像データＤINはフレームメモリ３２に記憶される。現在フレームの映像データＤIN及びフレームメモリ３２から読み出された映像データＤINは書込み読出し制御信号ＷＥに基づいて補正値ルックアップテーブル用のＲＯＭ３３に入力される。
【０１８３】
ＲＯＭ３３ではフレームメモリ３２に記憶された現在フレームの１つ前のフレームの映像データＤINの輝度階調レベルＬ１ｉと、現在フレームの映像データＤINの輝度階調レベルＬ２ｉとをアドレスにして当該フレームの補正後の輝度階調レベルの映像データＤOUTが読み出される。このＲＯＭ３３により映像信号ＳINの輝度階調レベルの変化に応じて映像データＤOUTを補正することができる。
【０１８４】
これに並行してノイズ検出手段６０によって映像信号ＳINからノイズが検出される。ここで検出されたノイズレベルＮＬはＣＰＵ３４に出力される。ＣＰＵ３４ではノイズレベルＮＬと予め設定された基準値とが比較される。そして、ノイズレベルＮＬが基準値を越える場合は、ＣＰＵ３４はセレクタ８０に選択制御信号Ｓｃを出力して補正前の映像信号ＳINを選択するようになされる。セレクタ８０は選択制御信号Ｓｃに基づいて補正前の映像信号ＳINを選択するのでこの映像信号ＳINがそのまま出力される。
【０１８５】
これにより、ノイズレベルＮＬが基準値を越える場合は補正前の映像信号ＳINに基づいて発生された駆動電圧ＶOUTを信号電極駆動回路４４に供給することができる。一方、走査電極駆動回路４３では水平同期信号ＨＳに基づいて液晶表示パネル２６を線順次走査するようになされる。従って、液晶表示パネル２６では、１フレーム毎に印加される駆動電圧ＶOUTに基づいて画像が表示される。このとき、輝度階調の急変時の表示素子の表示応答速度の遅れ性をフルに利用してノイズの影響を除くことができる。
【０１８６】
また、ノイズレベルＮＬが基準値に満たない場合はＲＯＭ３３から読み出された補正後の映像信号ＳOUTを選択するようになされる。このとき、ＣＰＵ３４はセレクタ８０に選択制御信号Ｓｃを出力して補正後の映像信号ＳOUTを選択するようになされる。
【０１８７】
セレクタ８０は選択制御信号Ｓｃに基づいて補正後の映像信号ＳOUTを選択するので、垂直同期信号ＶＳ及び補正後の映像信号ＳOUTに基づいて信号電極駆動回路４４により発生された駆動電圧ＶOUTを液晶表示パネル２６に供給するようになされる。
【０１８８】
液晶表示パネル２６では補正後の現在フレームの映像信号ＳINの輝度階調レベルＬ２’に基づいて駆動される。例えば、ある輝度階調レベルＬ１ｉから、それより低い輝度階調レベルＬ２ｉに変化する場合に、液晶表示パネル２６の応答時間が遅ければ、より映像データＤINの輝度階調レベルを下げ、駆動電圧の変化を大きくするようになされる。液晶表示パネル２６では動きの激しいＮＴＳＣ方式の放送番組でも高精細に表示される。
【０１８９】
このようにして、本発明に係る応用例としての液晶テレビ３００によれば、上述した第５の実施例に係る表示制御装置１０５が応用されるので、輝度階調レベルの変化時に１つ前のフレームの映像データＤINと現在フレームの映像データＤINとに基づいて輝度階調レベルが液晶表示パネル２６上で最適となるように補正された補正後の映像データＤOUTに置き換えることができる。
【０１９０】
また、ＣＰＵ３４等に映像データＤINの輝度階調に関する演算負担をかけることなく、ＲＯＭ３３によって補正後の映像データＤINを出力することができるので、液晶表示パネル２６で動きの早い映像データＤOUTに十分対処することが可能となる。従って、輝度変化の激しい映像データＤOUTを信号電極駆動回路４４に入力した場合でも、その輝度変化、すなわち、液晶が印加電圧に追従できずに映像の輪郭がぼけてしまうような現象を防止できる。
【０１９１】
この応用例では表示制御手段１０に関して第５の実施例に係る表示制御装置１０５を使用する場合について説明したが、これに限られることはなく、第１〜第４の実施例に係る表示制御装置１０１〜１０４及び第６の実施例に係る表示制御装置１０６を使用することもできる。
【０１９２】
これらの表示制御装置１０５、１０６で補正値ルックアップテーブルを使用することにより、さまざまな輝度階調レベルＬ２ｉの映像データＤINの変化毎に補正値を読み出すことができ、過補正にならないように補正値Ｌｒｉを微調整することも可能である。全ての輝度階調レベルＬ２ｉの変化において応答時間を高い精度で一定とすることができる。また、駆動電圧に対する表示応答速度が異なる液晶表示パネル２６を使用した場合でも、ルックアップデータを入れ替えることにより容易に対応することができる。
【０１９３】
また、応用例では１つのルックアップテーブル用のＲＯＭ３３を表示制御手段１０に備える場合について説明したが、これに限られることはなく、例えば、温度変化に対応するルックアップテーブル用の複数のＲＯＭを設けるようにしてもよい。このルックアップテーブルは温度変化に対応する補正値を予め当該フレームの輝度階調レベルの映像データに演算し、この演算後の温度依存性補正階調データを参照テーブル化したものである。
【０１９４】
表示制御手段１０では使用環境温度に応じて温度依存性階調データの読出しを切り換えるようになされる。この温度依存性補正階調データで液晶表示パネル２６を駆動すると、バックライト２７の使用環境温度等による液晶の応答時間のばらつきを取り除いて一定にすることができる。
【０１９５】
上述した応用例では画像表示装置に関して液晶テレビ（ＬＣＤＴＶ）の場合について説明したが、表示制御装置１０３〜１０４は同様にＰＡＬＣ、ＬＣＤＰＪなどにも適用することができ、プラズマディスプレイ（ＰＤＰ）にも応用することができる。
【０１９６】
【発明の効果】
以上説明したように、本発明に係る表示制御装置によれば、液晶表示パネルを駆動するための１つ前のフレームの映像信号と現在フレームの映像信号との差分を演算して検出されたノイズレベルと、予め設定された基準値とを比較し、比較結果に基づいて補正出力を制御する制御装置を備え、この制御装置は、ノイズレベルが基準値を越える場合は、補正前の映像信号を選択し、ノイズレベルが基準値に満たない場合は、輝度階調補正後の映像信号のいずれかを選択するようになされる。
【０１９７】
この構成によって、映像信号中のノイズレベルが大きい場合やノイズ量が多い場合は補正前の映像信号をそのまま液晶表示パネルに出力することができ、輝度階調の急変時の液晶表示パネルの表示応答速度の遅れ性をフルに利用してノイズの影響を除くことができる。
【０１９８】
また、映像信号中のノイズレベルが小さい場合やノイズ量が少ない場合は補正後の映像信号を液晶表示パネルに出力することができ、輝度階調の急変時の液晶表示パネルの表示応答速度の遅れ性を改善することができる。
【０１９９】
本発明に係る画像表示装置によれば、輝度階調に対応して表示応答速度が異なるマトリクス型の液晶表示パネルを有して、１フレーム毎に印加される駆動電圧に基づいて画像を表示する場合に、上述した表示制御装置が応用されるものである。
【０２００】
この構成によって、映像信号中のノイズレベルが大きい場合やノイズ量が多い場合は補正前の映像信号をそのまま液晶表示パネルに出力することができ、輝度階調の急変時の液晶表示パネルの表示応答速度の遅れ性をフルに利用してノイズの影響を除くことができる。
【０２０１】
また、映像信号中のノイズレベルが小さい場合やノイズ量が少ない場合は補正後の映像信号を液晶表示パネルに出力することができ、輝度階調の急変時の液晶表示パネルの表示応答速度の遅れ性を改善することができる。
【０２０２】
この発明は輝度階調に対応して表示応答速度が異なる画像表示デバイスに対して１フレーム毎に映像信号を供給して画像表示をするＰＡＬＣ、ＬＣＤＴＶ，ＬＣＤＰＪなどに適用して極めて好適である。
【図面の簡単な説明】
【図１】本発明に係る第１の実施形態としての表示制御装置１００の構成例を示すブロック図である。
【図２】ノイズ検出手段６０の構成例を示すブロック図である。
【図３】本発明に係る第１の実施形態としての表示制御装置１００の動作例を示すフローチャートである。
【図４】本発明に係る第２の実施形態としての表示制御装置２００の構成例を示すブロック図である。
【図５】本発明に係る第１の実施例としての表示制御装置１０１を応用した画像表示装置２０１の構成例を示すブロック図である。
【図６】補正回路３における補正処理例を示す輝度階調レベルの図である。
【図７】本発明に係る第２の実施例としての表示制御装置１０２を応用した画像表示装置２０２の構成例を示すブロック図である。
【図８】記憶手段（ＲＯＭ）２の参照テーブル内容例を示すイメージ図である。
【図９】画像表示装置２０２の動作例を示すフローチャートである。
【図１０】本発明に係る第３の実施例としての表示制御装置１０３を応用した画像表示装置２０３の構成例を示すブロック図である。
【図１１】本発明に係る第４の実施例としての表示制御装置１０４を応用した画像表示装置２０４の構成例を示すブロック図である。
【図１２】本発明に係る第５の実施例としての表示制御装置１０５を応用した画像表示装置２０５の構成例を示すブロック図である。
【図１３】記憶手段８に格納される補正後の輝度階調レベルＬ２ｉ’の映像信号ＳOUTの内容例を示すイメージ図である。
【図１４】記憶手段８における補正後の輝度階調レベルＬ２ｉ’の映像信号ＳOUTの読出し例を示すイメージ図である。
【図１５】画像表示装置２０５の動作例を示すフローチャートである。
【図１６】本発明に係る第６の実施例としての表示制御装置１０６を応用した画像表示装置２０６の構成例を示すブロック図である。
【図１７】本発明に係る応用例としての液晶テレビ３００の構成例を示すブロック図である。
【図１８】補正後の輝度階調レベルＬ２ｉ’の映像データＤOUTに係るＲＯＭ３３の内容例を示すイメージ図である。
【図１９】図１８に示した映像データＤOUTの補正値Ｌｒｉを同等レベル毎に色分け表示したＲＯＭ３３の内容例のイメージ図である。
【図２０】ＲＯＭ３３におけるＬ１ｉ、Ｌ２ｉ及びＬｒｉの関係例を示す３次元参照テーブルのイメージ図である。
【符号の説明】
１，４・・・第１の記憶手段、２，５，８，９・・・第２の記憶手段、３，６・・・補正回路、７・・・加算手段、１０・・・表示制御手段、１１・・・表示駆動手段、１２・・・映像表示手段、３２・・・フレームメモリ（第１の記憶手段）、３３・・・ＲＯＭ（第２の記憶手段）、３４・・・ＣＰＵ（制御装置）、５０〜５６・・・応答速度改善手段、６０・・・ノイズ検出手段、７０・・・制御装置、１０１〜１０６・・・表示制御装置（表示制御手段）、２０１〜２０６・・・画像表示装置、３００・・・液晶テレビ（画像表示装置）
【図１】
0004196580.tif 000002
【図２】
0004196580.tif 000003
【図３】
0004196580.tif 000004
【図４】
0004196580.tif 000005
【図５】
0004196580.tif 000006
【図６】
0004196580.tif 000007
【図７】
0004196580.tif 000008
【図８】
0004196580.tif 000009
【図９】
0004196580.tif 000010
【図１０】
0004196580.tif 000011
【図１１】
0004196580.tif 000012
【図１２】
0004196580.tif 000013
【図１３】
0004196580.tif 000014
【図１４】
0004196580.tif 000015
【図１５】
0004196580.tif 000016
【図１６】
0004196580.tif 000017
【図１７】
0004196580.tif 000018
【図１８】
0004196580.tif 000019
【図１９】
0004196580.tif 000020
【図２０】
0004196580.tif 000021